(57)【特許請求の範囲】
【請求項１】
無線通信システムにおいてデータを受信する装置であって、
データ部分の最大で所定の数Ｎ個の送信信号であって、前記所定の数Ｎ個のそれぞれのサブフレームに符号化された、前記送信信号、を受信する受信ユニットと、
前記データ部分が正常に復号されたか否かを判定し、前記判定の結果に従って肯定受信確認応答または否定受信確認応答を生成し、前記データ部分の復号が正常に行われるまでの送信信号の数Ｎｅを求める、フィードバック制御ユニットと、
前記受信確認応答を送信し、前記求めた送信信号の数Ｎｅまたは前記求めた送信信号の数Ｎｅの関数に対応するバンドル長さ情報を送信するように構成されている送信ユニットと、
を備えている、装置。
【請求項２】
前記受信確認応答および前記バンドル長さ情報を一緒に符号化することによってフィードバック情報を生成するフィードバック符号化ユニット、
をさらに備えており、
前記送信ユニットが前記フィードバック情報を送信するように構成されている、
請求項１に記載の装置。
【請求項３】
前記フィードバック情報を、前記データ部分の前記所定の数Ｎ個の送信信号の最後のサブフレームよりも少なくとも所定の数ｋ個のサブフレームだけ後ろに位置する複数のＭ個のサブフレームに拡散させることによって、前記フィードバック情報を無線システムリソースにマッピングする、フィードバックマッピングユニット、
をさらに備えている、請求項２に記載の装置。
【請求項４】
前記フィードバックマッピングユニットが、所定の数ｄ個の拡散規則のうちの１つの拡散規則に従って、前記フィードバック情報を前記Ｍ個のサブフレームにわたり拡散させるように構成されている、請求項３に記載の装置。
【請求項５】
前記拡散規則の前記数ｄが、前記送信信号の数Ｎよりも小さい、請求項４に記載の装置。
【請求項６】
前記拡散規則ｃが、Ｓ個の直交拡散符号のうちの１つを指定するインデックスであり、インデックスｃを有する符号が、前記受信確認応答を拡散させるために使用され、前記バンドル長さ情報Ｎｅの値に従って次のように、すなわち、
【数１】
0006515176.tif 000023
または
【数２】
0006515176.tif 000024
によって、選択される、
請求項４に記載の装置。
【請求項７】
前記フィードバック情報が、Ｓ個のコードワードを含む符号によって符号化され、前記Ｓ個のコードワードのうち、
Ｓ−１個のコードワードが、肯定受信確認応答と、前記バンドル長さを符号化するためのＳ−１個のそれぞれの値と、を示し、
否定確認応答を示すコードワードが、肯定確認応答を示す前記Ｓ−１個のコードワードのいずれかまでのハミング距離またはユークリッド距離として、肯定確認応答を示す前記Ｓ−１個のコードワードの間のハミング距離またはユークリッド距離よりも大きい距離、を有し、Ｓがｄより小さいかまたは等しい、
請求項５に記載の装置。
【請求項８】
前記コードワードが、ウォルシュ−アダマール符号、ＤＦＴに基づく複素拡散符号、Ｚａｄｏｆｆ−Ｃｈｕ符号、または擬似ランダム系列のさまざまなサイクリックシフト、のうちの１つに属する、請求項７に記載の装置。
【請求項９】
前記バンドル長さ情報が、前記データ部分の復号が正常に行われるまでの、求めた送信信号の数Ｎｅと、Ｎとの間の差、を示す、請求項２に記載の装置。
【請求項１０】
前記フィードバック情報が、
否定確認応答と、前記データ部分の復号が正常に行われるまでの、Ｎ個に加えてのさらなる送信信号の数と、を符号化する１つまたは複数のコードワード、をさらに含む符号、
によって符号化される、
請求項７に記載の装置。
【請求項１１】
前記Ｎ個のサブフレームが、前記無線通信システムの時間領域における連続するサブフレームである、および／または、
前記Ｍ個のサブフレームが、前記無線通信システムの時間領域における連続するサブフレームである、
請求項３に記載の装置。
【請求項１２】
前記送信ユニットが、
前記受信ユニットが前記データ部分のＮ個の送信信号すべてを受信した後に、前記バンドル長さ情報を送信するように構成されている、
請求項１から請求項１１のいずれかに記載の装置。
【請求項１３】
前記送信ユニットが、前記バンドル長さ情報を、媒体アクセス制御（ＭＡＣ）プロトコルの情報要素の中で送信するように構成されている、請求項１に記載の装置。
【請求項１４】
無線通信システムにおいてデータを送信する装置であって、
データ部分の所定の数Ｎ個の送信信号であって、前記所定の数Ｎ個のそれぞれのサブフレームに符号化された、前記送信信号、を送信する送信ユニットと、
データ受信装置から受信確認応答を受信し、かつバンドル長さ情報を受信するフィードバック受信ユニットであって、前記バンドル長さ情報が、前記データ受信装置において前記データ部分の復号が正常に行われるまでの送信信号の数または前記送信信号の数の関数に対応する、前記フィードバック受信ユニットと、
前記受信されたバンドル長さ情報に従って前記所定の数Ｎを設定する送信制御ユニットと、
を備えている、装置。
【請求項１５】
無線通信システムにおいてデータを受信する方法であって、
データ部分の最大で所定の数Ｎ個の送信信号であって、前記所定の数Ｎ個のそれぞれのサブフレームに符号化された、前記送信信号、を受信するステップと、
前記データ部分が正常に復号されたか否かを判定し、前記判定の結果に従って肯定受信確認応答または否定受信確認応答を生成し、前記データ部分の復号が正常に行われるまでの送信信号の数Ｎｅを求める、ステップと、
前記受信確認応答を送信し、前記求めた送信信号の数Ｎｅまたは前記求めた送信信号の数Ｎｅの関数に対応するバンドル長さ情報を送信する、ステップと、
を含む、方法。
【請求項１６】
無線通信システムにおいてデータを送信する方法であって、
データ部分の所定の数Ｎ個の送信信号であって、前記所定の数Ｎ個のそれぞれのサブフレームに符号化された、前記送信信号、を送信するステップと、
データ受信装置から受信確認応答を受信し、かつバンドル長さ情報を受信するステップであって、前記バンドル長さ情報が、前記データ受信装置において前記データ部分の復号が正常に行われるまでの送信信号の数または前記送信信号の数の関数に対応する、ステップと、
前記受信されたバンドル長さ情報に従って前記所定の数Ｎを設定するステップと、
を含む、方法。
【発明の詳細な説明】
【技術分野】
【０００１】
本発明は、無線通信システムにおいてデータおよびデータの受信に関するフィードバックを送信することに関する。
【背景技術】
【０００２】
例えば３ＧＰＰ（第３世代パートナーシッププロジェクト）において標準化されたＵＭＴＳ（Universal Mobile Telecommunication System：ユニバーサル移動体通信システム）などの第３世代（３Ｇ）の移動セルラーシステムは、ＷＣＤＭＡ（Wideband Code Division Multiple Access：広帯域符号分割多元接続）無線アクセス技術に基づいている。今日、３Ｇシステムは世界中に広範な規模で配備されつつある。ＨＳＤＰＡ（High-Speed Downlink Packet Access：高速ダウンリンクパケットアクセス）および強化されたアップリンク（ＨＳＵＰＡ（High-Speed Uplink Packet Access）とも呼ばれる）を導入することによってこの技術が拡張された後、ＵＭＴＳ標準の発展における次の主要な段階では、ダウンリンクでのＯＦＤＭ（Orthogonal Frequency Division Multiplexing：直交周波数分割多重）と、アップリンクでのＳＣ−ＦＤＭＡ（Single Carrier Frequency Division Multiplexing Access：シングルキャリア周波数分割多元接続）との組合せが取り入れられた。このシステムは、将来の技術発展に対応していくことを意図しているため、ＬＴＥ（Long Term Evolution）と名付けられている。
【０００３】
ＬＴＥシステムは、パケットベースの効率的な無線アクセスおよび無線アクセスネットワークであり、ＩＰベースの全機能を低遅延かつ低コストで提供する。物理データチャネル送信の場合、ダウンリンクではデータ変調方式ＱＰＳＫ、１６ＱＡＭ、および６４ＱＡＭがサポートされ、アップリンクではＱＰＳＫ、１６ＱＡＭ、および少なくともいくつかの装置に対しては６４ＱＡＭもサポートされる。「ダウンリンク」という用語は、ネットワークから端末への方向を表す。「アップリンク」という用語は、端末からネットワークへの方向を表す。
【０００４】
ＷＣＤＭＡ（登録商標）無線アクセス技術をベースとする第３世代の移動通信システム（３Ｇ）は、世界中で広範な規模で配備されつつある。この技術を機能強化または発展・進化させるうえでの最初のステップとして、高速ダウンリンクパケットアクセス（ＨＳＤＰＡ）と、エンハンストアップリンク（高速アップリンクパケットアクセス（ＨＳＵＰＡ）とも称する）とが導入され、これにより、極めて競争力の高い無線アクセス技術が提供されている。ユーザからのますます増大する需要に対応し、新しい無線アクセス技術に対する競争力を確保する目的で、３ＧＰＰは、ロングタームエボリューション（ＬＴＥ）と称される新しい移動通信システムを導入した。ＬＴＥは、今後１０年間にわたり、データおよびメディアの高速伝送ならびに大容量の音声サポートに要求されるキャリアを提供するように設計されている。高いビットレートを提供する能力は、ＬＴＥにおける重要な方策である。ＬＴＥ（ロングタームエボリューション）に関する作業項目（ＷＩ）の仕様は、Ｅ−ＵＴＲＡ（Evolved UMTS Terrestrial Radio Access（ＵＴＲＡ）：進化したＵＭＴＳ地上無線アクセス）およびＥ−ＵＴＲＡＮ（Evolved UMTS Terrestrial Radio Access Network（ＵＴＲＡＮ）：進化したＵＭＴＳ地上無線アクセスネットワーク）と称され、最終的にリリース８（ＬＴＥリリース８）として公開される。ＬＴＥシステムは、パケットベースの効率的な無線アクセスおよび無線アクセスネットワークであり、ＩＰベースの全機能を低遅延かつ低コストで提供する。詳細なシステム要件は、非特許文献１（３ＧＰＰのウェブサイトで自由に入手可能である）に記載されている。
【０００５】
ＬＴＥでは、与えられたスペクトルを用いてフレキシブルなシステム配備を達成するために、スケーラブルな複数の送信帯域幅（例えば、１.４ＭＨｚ、３.０ＭＨｚ、５.０ＭＨｚ、１０.０ＭＨｚ、１５.０ＭＨｚ、および２０.０ＭＨｚ）が指定されている。ダウンリンクには、ＯＦＤＭ（Orthogonal Frequency Division Multiplexing：直交周波数分割多重）をベースとする無線アクセスが採用されている。なぜなら、かかる無線アクセスは、低いシンボルレートのため本質的にマルチパス干渉（ＭＰＩ）を受けにくく、また、サイクリックプレフィックス（ＣＰ）を使用しており、さらに、さまざまな送信帯域幅の構成に対応可能だからである。アップリンクには、ＳＣ−ＦＤＭＡ（Single-Carrier Frequency Division Multiple Access：シングルキャリア周波数分割多元接続）をベースとする無線アクセスが採用されている。なぜなら、ユーザ機器（ＵＥ）の送信電力が限られていることを考えれば、ピークデータレートを向上させるよりも広いカバレッジエリアを提供することが優先されるからである。ＬＴＥリリース８では、数多くの主要なパケット無線アクセス技術（例えば、ＭＩＭＯ（多入力多出力）チャネル伝送技術）が採用され、高効率の制御シグナリング構造が達成されている。
【０００６】
図１は、ＬＴＥの全体的なアーキテクチャを示している。Ｅ−ＵＴＲＡＮはｅＮＢを備えており、ｅＮＢは、ユーザ機器（ＵＥ）向けの、Ｅ−ＵＴＲＡのユーザプレーン（ＰＤＣＰ／ＲＬＣ／ＭＡＣ／ＰＨＹ）および制御プレーン（ＲＲＣ）のプロトコルを終端処理する。ｅＮＢは、物理（ＰＨＹ）レイヤ、媒体アクセス制御（ＭＡＣ）レイヤ、無線リンク制御（ＲＬＣ）レイヤ、およびパケットデータ制御プロトコル（ＰＤＣＰ）レイヤ（これらのレイヤはユーザプレーンのヘッダ圧縮および暗号化の機能を含む）をホストする。ｅＮＢは、制御プレーンに対応する無線リソース制御（ＲＲＣ）機能も提供する。ｅＮＢは、無線リソース管理、アドミッション制御、スケジューリング、交渉によるアップリンクＱｏＳ（サービス品質）の実施、セル情報のブロードキャスト、ユーザプレーンデータおよび制御プレーンデータの暗号化／復号化、ダウンリンク／アップリンクのユーザプレーンパケットヘッダの圧縮／復元など、多くの機能を実行する。複数のｅＮＢは、Ｘ２インタフェースによって互いに接続されている。また、複数のｅＮｏｄｅＢは、Ｓ１インタフェースによってＥＰＣ（Evolved Packet Core：進化したパケットコア）、より具体的には、Ｓ１−ＭＭＥによってＭＭＥ（Mobility Management Entity：移動管理エンティティ）、Ｓ１−Ｕによってサービングゲートウェイ（Ｓ−ＧＷ：Serving Gateway）に接続されている。Ｓ１インタフェースは、ＭＭＥ／サービングゲートウェイとｅＮＢとの間の多対多関係をサポートする。ＳＧＷは、ユーザデータパケットをルーティングして転送する一方で、ｅＮＢ間のハンドオーバー時におけるユーザプレーンのモビリティアンカーとして機能し、さらに、ＬＴＥと別の３ＧＰＰ技術との間のモビリティのためのアンカー（Ｓ４インタフェースを終端させ、２Ｇ／３ＧシステムとＰＤＮ  ＧＷとの間でトラフィックを中継する）として機能する。ＳＧＷは、アイドル状態のユーザ機器に対しては、ダウンリンクデータ経路を終端させ、そのユーザ機器へのダウンリンクデータが到着したときにページングをトリガーする。ＳＧＷは、ユーザ機器のコンテキスト（例えばＩＰベアラサービスのパラメータ、ネットワーク内部ルーティング情報）を管理および格納する。さらに、ＳＧＷは、合法傍受（lawful interception）の場合にユーザトラフィックの複製を実行する。
【０００７】
ＭＭＥは、ＬＴＥのアクセスネットワークの主要な制御ノードである。ＭＭＥは、アイドルモードのユーザ機器の追跡およびページング手順（再送信を含む）の役割を担う。ＭＭＥは、ベアラのアクティブ化／非アクティブ化プロセスに関与し、さらには、最初のアタッチ時と、コアネットワーク（ＣＮ）ノードの再配置を伴うＬＴＥ内ハンドオーバー時とに、ユーザ機器のＳＧＷを選択する役割も担う。ＭＭＥは、（ＨＳＳと対話することによって）ユーザを認証する役割を担う。非アクセス層（ＮＡＳ：Non-Access Stratum）シグナリングはＭＭＥにおいて終端され、ＭＭＥは、一時的なＩＤを生成してユーザ機器に割り当てる役割も担う。ＭＭＥは、サービスプロバイダの公衆陸上移動網（ＰＬＭＮ：Public Land Mobile Network）に入るためのユーザ機器の認証をチェックし、ユーザ機器のローミング制約を実施する。ＭＭＥは、ＮＡＳシグナリングの暗号化／完全性保護においてネットワーク内の終端点であり、セキュリティキーの管理を行う。シグナリングの合法傍受も、ＭＭＥによってサポートされる。さらに、ＭＭＥは、ＬＴＥのアクセスネットワークと２Ｇ／３Ｇのアクセスネットワークとの間のモビリティのための制御プレーン機能を提供し、ＳＧＳＮからのＳ３インタフェースを終端させる。さらに、ＭＭＥは、ローミングするユーザ機器のためのホームＨＳＳに向かうＳ６ａインタフェースを終端させる。
【０００８】
図２は、ＬＴＥリリース８およびそれ以降のリリースのコンポーネントキャリアの構造を示している。３ＧＰＰ  ＬＴＥリリース８のダウンリンクのコンポーネントキャリアは、時間−周波数領域においていわゆるサブフレームに分割され、各サブフレームは２つのダウンリンクスロットに分割され、図２には、そのうちの１つのダウンリンクスロットが期間Ｔｓｌｏｔに相当するものとして示されている。最初のダウンリンクスロットは、先頭の（１つまたは複数の）ＯＦＤＭシンボル内に制御チャネル領域を備える。各サブフレームは、時間領域における特定の数のＯＦＤＭシンボルからなり、各ＯＦＤＭシンボルはコンポーネントキャリアの帯域幅全体にわたる。
【０００９】
具体的には、スケジューラによって割り当てることができる最小単位のリソースはリソースブロックであり、これは物理リソースブロック（ＰＲＢ：Physical Resource Block）とも呼ばれる。物理リソースブロック（ＰＲＢ）は、時間領域のＮＤＬｓｙｍｂ個の連続したＯＦＤＭシンボルおよび周波数領域のＮＲＢＳＣ個の連続したサブキャリアとして定義される。実際には、ダウンリンクリソースはリソースブロックペアとして割り当てられる。リソースブロックペアは、２つのリソースブロックからなる。１リソースブロックペアは、周波数領域のＮＲＢＳＣ個の連続したサブキャリアと、時間領域のサブフレームの２・ＮＤＬｓｙｍｂ個の全変調シンボルを範囲とする。ＮＤＬｓｙｍｂは６または７であり、結果としてＯＦＤＭシンボルの総数は１２個または１４個である。したがって、物理リソースブロックは、時間領域の１スロットおよび周波数領域の１８０ｋＨｚに相当するＮＤＬｓｙｍｂ×ＮＲＢＳＣ個のリソースエレメントからなる（ダウンリンクのリソースグリッドに関するさらなる詳細は、例えば非特許文献２（３ＧＰＰのウェブサイトにおいて自由に入手可能であり、参照によって本明細書に組み込まれており、以下では非特許文献２と称する）の６.２節に記載されている）。リソースブロックまたはリソースブロックペアがスケジューリングされているにも関わらずその中のいくつかのリソースエレメントが使用されないことも起こりうるが、使用される術語表現を簡潔にするために、リソースブロックまたはリソースブロックペア全体が割り当てられるとする。スケジューラによって実際に割り当てられないリソースエレメントの例として、基準信号、ブロードキャスト信号、同期信号、さまざまな制御信号やチャネル送信に使用されるリソースエレメントが挙げられる。
【００１０】
ダウンリンクにおける物理リソースブロックの数ＮＤＬＲＢは、セル内で設定されているダウンリンク送信の帯域幅に応じて決まり、現在ＬＴＥでは６〜１１０個の（物理）リソースブロックであるものと定義されている。ＬＴＥでは、帯域幅をＨｚ単位（例えば１０ＭＨｚ）またはリソースブロック単位で表すのが慣習的であり、例えばダウンリンクの場合、セル帯域幅を例えば１０ＭＨｚまたはＮＤＬＲＢ＝５０ＲＢと表すことができ、両者は等価である。
【００１１】
一般的に、リソースブロックは、データを送信するためにスケジューラによって割り当てることができる、移動体通信の無線インタフェースにおける最小のリソース単位を表すものと想定することができる。リソースブロックの次元は、移動通信システムで用いられるアクセス方式に応じて、時間（例えば、時間分割多重方式（ＴＤＭ）の場合のタイムスロット、サブフレーム、フレームなど）、周波数（例えば、周波数分割多重方式（ＦＤＭ）の場合のサブバンド、キャリア周波数など）、符号（例えば、符号分割多重方式（ＣＤＭ）の場合の拡散符号）、アンテナ（例えば、多入力多出力（ＭＩＭＯ））などの任意の組合せとすることができる。
【００１２】
３ＧＰＰ  ＬＴＥリリース８では、ダウンリンク制御シグナリングは、基本的に次の３つの物理チャネルによって伝えられる。
−  １つのサブフレームの中の、制御シグナリングに使用されるＯＦＤＭシンボルの数（すなわち制御チャネル領域の大きさ）を示す物理制御フォーマットインジケータチャネル（ＰＣＦＩＣＨ）
−  アップリンクデータ送信に関連するダウンリンクＡＣＫ／ＮＡＣＫを伝える物理ハイブリッドＡＲＱインジケータチャネル（ＰＨＩＣＨ）
−  ダウンリンクスケジューリング割当ておよびアップリンクスケジューリング割当てを伝える物理ダウンリンク制御チャネル（ＰＤＣＣＨ）
【００１３】
ＰＣＦＩＣＨは、事前に定義される既知の変調・符号化方式を用いて、ダウンリンクサブフレームの制御シグナリング領域内の既知の場所から送信される。ユーザ機器は、サブフレームの中の制御シグナリング領域の大きさについての情報（例えばＯＦＤＭシンボルの数）を得るため、ＰＣＦＩＣＨを復号する。ユーザ機器（ＵＥ）がＰＣＦＩＣＨを復号できない、または誤ったＰＣＦＩＣＨ値を得た場合、制御シグナリング領域に含まれるＬ１／Ｌ２制御シグナリング（ＰＤＣＣＨ）を正しく復号することができず、結果として、制御シグナリングに含まれるすべてのリソース割当てが失われうる。
【００１４】
ＰＤＣＣＨは、ダウンリンク制御情報（例えば、ダウンリンクデータまたはアップリンクデータを送信するためのリソースを割り当てるスケジューリンググラントなど）を伝える。ユーザ機器へのＰＤＣＣＨは、サブフレーム内のＰＣＦＩＣＨに従って、最初の１個、２個、または３個のＯＦＤＭシンボルで送信される。
【００１５】
物理ダウンリンク共有チャネル（ＰＤＳＣＨ）は、ユーザデータを伝えるために使用される。ＰＤＳＣＨは、１つのサブフレーム内のＰＤＣＣＨに続く残りのＯＦＤＭシンボルにマッピングされる。１基のＵＥに割り当てられるＰＤＳＣＨリソースは、各サブフレームのリソースブロックを単位とする。
【００１６】
物理アップリンク共有チャネル（ＰＵＳＣＨ）は、ユーザデータを伝える。物理アップリンク制御チャネル（ＰＵＣＣＨ）は、スケジューリング要求、ＰＤＳＣＨ上のデータパケットに応えてのＨＡＲＱ肯定応答（ＡＣＫ）および否定応答（ＮＡＣＫ）、チャネル状態情報（ＣＳＩ）など、アップリンク方向のシグナリングを伝える。
【００１７】
通信ネットワークを通じて送信されるユーザデータ（ＩＰパケット）は、ユーザアプリケーションによって生成される。ユーザデータは、音声、ビデオ、テキスト、または任意の他のメディアを含むことができ、これらはＩＰパケットを形成する前に場合によっては別のプロトコルに圧縮およびカプセル化される。ＥＵＴＲＡＮでは、ＩＰパケットは、ＰＤＣＰ層においてさらに処理されてＰＤＣＰヘッダが追加される。このように形成されたＰＤＣＰパケットは、さらにセグメント化および／または再構築されて（図では再構築が示されている）ＲＬＣパケットが形成され、ＲＬＣヘッダが追加される。次いで、１つまたは複数のＲＬＣパケットがＭＡＣパケットにカプセル化され、ＭＡＣパケットはさらにＭＡＣヘッダおよびパディング（必要な場合）を含む。ＭＡＣパケットは「トランスポートブロック」とも呼ばれる。したがってトランスポートブロックは、物理層の観点から見ると、物理層に入るユーザデータのパケットである。ＬＴＥで使用できるトランスポートブロックサイズ（ＴＢＳ）は、予め定義される。次いでトランスポートブロックは、１送信時間間隔（ＴＴＩ）内で物理層（ＰＨＹ）におけるサブフレームにマッピングされる。トランスポートブロックから始まってインタリービングまでのデータマッピングの詳細に関しては、ユーザデータのアップリンク送信およびダウンリンク送信それぞれについて、非特許文献３（３ＧＰＰのウェブサイトにおいて自由に入手可能であり、参照によって本明細書に組み込まれており、以下では非特許文献３と称する）の図５.２.２−１および図５.３.２−１と、それらの関連する説明に記載されている。さらに、物理チャネルマッピングに関しては、ダウンリンクおよびアップリンクそれぞれについて、非特許文献２の図６.３−１および図５.３−１と、それらの関連する説明に詳細に記載されている。
【００１８】
リンクアダプテーションの原理は、パケット交換データトラフィックのための効率的な無線インタフェースを設計するうえで重要である。初期のＵＭＴＳ（ユニバーサル移動体通信システム）では、高速閉ループ電力制御を使用することで、データレートがほぼ一定である回線交換サービスをサポートしていたが、ＬＴＥのリンクアダプテーションでは、各ユーザの通常の無線チャネル容量を一致させるため、送信データレート（変調方式およびチャネル符号化率）を動的に調整する。ＬＴＥのダウンリンクデータ送信においては、ｅＮｏｄｅＢは、一般には、ダウンリンクチャネル状態の予測に応じて変調方式および符号化率（ＭＣＳ）を選択する。この選択プロセスへの重要な入力は、ユーザ機器（ＵＥ）によってアップリンクでｅＮｏｄｅＢに送信されるチャネル状態情報（ＣＳＩ）フィードバック（上記に記載）である。
【００１９】
チャネル状態情報（ＣＳＩ）は、マルチユーザ通信システム（例えば３ＧＰＰ  ＬＴＥなど）において、１人または複数のユーザのチャネルリソースの品質を判断する目的で使用される。一般的には、ｅＮｏｄｅＢは、ＣＳＩフィードバックに応えて、ＱＰＳＫ方式、１６ＱＡＭ方式、および６４ＱＡＭ方式と、広範な符号化率の中で選択することができる。このＣＳＩ情報は、マルチユーザスケジューリングアルゴリズムにおいて、チャネルリソースを複数の異なるユーザに割り当てることを支援する目的で、あるいは、割り当てられたチャネルリソースを最大限に利用できるように、変調方式、符号化率、送信電力などのリンクパラメータを適合させる目的で、使用することができる。サービングｅＮＢは、ＰＤＳＣＨ送信の適切な送信パラメータを選択する目的で、ユーザ機器からのチャネル状態情報（ＣＳＩ）の報告に頼る。チャネル状態情報（ＣＳＩ）は、ＬＴＥにおいては以下からなる。
−  ランクインジケータ（ＲＩ）
−  プリコーディング行列インジケータ（ＰＭＩ）
−  チャネル品質インジケータ（ＣＱＩ）
【００２０】
チャネル品質インジケータ（ＣＱＩ）は、ＭＣＳの選択に関連してリンクアダプテーションアルゴリズムへの入力として使用される。チャネル状態情報（ＣＳＩ）メッセージの正確なフォーマットは、報告モードに依存する。ＣＱＩは、個別に符号化される広帯域ＣＱＩと、広帯域ＣＱＩに対して差分符号化される（differentially coded）１つまたは複数のサブバンドＣＱＩとを含むことができる。報告モードは、非特許文献４（３ＧＰＰのウェブサイトにおいて自由に入手可能である）に記載されているように、ＲＲＣシグナリングによって設定することができる。現在ＬＴＥによってサポートされている報告モードは、非特許文献５（３ＧＰＰのウェブサイトにおいて自由に入手可能である）の特に６.２節に定義されている（例えば情報要素「ＣＱＩｒｅｐｏｒｔＣｏｎｆｉｇ」）。
【００２１】
アップリンクリソースグラントおよびダウンリンクリソースグラント（それぞれユーザ機器がアップリンクで、およびユーザ機器にダウンリンクでデータを送信できるようにするグラント）は、ｅＮｏｄｅＢからＰＤＣＣＨを介してダウンリンク制御情報（ＤＣＩ）の中でユーザ機器に送信される。ダウンリンク制御情報（ＤＣＩ）は、必要とされるシグナリング情報に応じて、さまざまなフォーマットで送信することができる。一般的には、ダウンリンク制御情報（ＤＣＩ）は、リソースブロック割当て（ＲＢＡ）および変調・符号化方式（ＭＣＳ）を含むことができる。
【００２２】
ダウンリンク制御情報（ＤＣＩ）は、さらなる情報として、ＨＡＲＱ関連情報（冗長バージョン（ＲＶ）、ＨＡＲＱプロセス番号、新規データインジケータ（ＮＤＩ）など）、ＭＩＭＯ関連情報（プリコーディングなど）、電力制御関連情報などを含むことができる。
【００２３】
上述したように、スケジューリング対象のユーザに、その割当て状態、トランスポートフォーマット、およびその他のデータ関連情報（例：ＨＡＲＱ情報、送信電力制御（ＴＰＣ）コマンド）を知らせる目的で、第１層／第２層制御シグナリングがデータと一緒にダウンリンクで送信される。第１層／第２層制御シグナリングは、サブフレーム内でダウンリンクデータと一緒に多重化される（ユーザ割当てが基本的にサブフレーム単位で変化しうるものと想定する）。なお、ユーザ割当てをＴＴＩ（送信時間間隔）ベースで実行することもでき、その場合、ＴＴＩ長は、一般的にサブフレームの倍数とする、またはサブフレームに一致させることができる。ＴＴＩ長は、サービスエリアにおいてすべてのユーザに対して一定とする、または異なるユーザに対して異なる、さらにはユーザ毎に動的とすることもできる。第１層／第２層制御シグナリングは、一般的にはＴＴＩあたり１回送信するのみでよい。一般性を失うことなく、以下では、ＴＴＩが１サブフレームに等しいものと想定する。
【００２４】
３ＧＰＰ  ＬＴＥでは、アップリンクデータ送信のための割当て（アップリンクスケジューリンググラントまたはアップリンクリソース割当てとも称する）も、ＰＤＣＣＨで送信される。アップリンクまたはダウンリンクの無線リソースを割り当てるために第１層／第２層制御シグナリングで送られる情報は（特にＬＴＥ（−Ａ）リリース１０）、一般的には以下の項目に分類することができる。
−  ユーザ識別情報：  割り当てる対象のユーザを示す。この情報は、一般には、ＣＲＣ（巡回冗長検査）をユーザ識別情報によってマスクすることによってチェックサムに含まれる。ユーザ（ユーザ機器）は、サーチスペース内で（すなわち、各端末が自身宛のデータがあるか制御情報を監視する必要のあるサーチスペースとして設定されているリソースにおいて）送信された識別情報をデマスキングすることによって、ブラインド復号を実行する。
−  リソース割当て情報：  ユーザに割り当てられるリソース（リソースブロック：ＲＢ）を示す。したがって、ユーザに割り当てられるリソースブロックの数は動的とすることができる。特に、リソースブロック（周波数領域）の数が、このリソース割当て情報によって伝えられる。時間領域（サブフレーム）における位置は、ＰＤＣＣＨが受信されるサブフレームと、所定の規則（リソースはＰＤＣＣＨサブフレームより特定の数のサブフレームだけ後に割り当てられる）とによって与えられる。
−  キャリアインジケータ：  第１のキャリアで送信される制御チャネルが、第２のキャリアに関係するリソース（すなわち第２のキャリアのリソース、またはキャリアアグリゲーションが適用される場合には第２のキャリアに関連するリソース）を割り当てる場合に使用される。
−  変調・符号化方式：  採用される変調方式および符号化率（符号化されるトランスポートブロックの長さ）を決める。
−  ＨＡＲＱ情報：  データパケットまたはその一部を再送信するときに特に有用である、新規データインジケータ（ＮＤＩ）や冗長バージョン（ＲＶ）など。具体的には、新規データインジケータは、その割当てがデータの最初の送信用であるか、データの再送信用であるかを示す。冗長バージョンは、再送信されるデータに適用される符号化を示す（ＬＴＥでは増分的冗長性合成法（incremental redundancy combining）がサポートされ、すなわち、各再送信には、異なる方式で符号化された最初の送信データを含めることができ、すなわち、各再送信には、すでに受信された送信／再送信と合わせて最終的に復号を可能にするパリティビットを含めることができる）。
−  電力制御コマンド：  リソースが割り当てられたアップリンクのデータまたは制御情報を送信するときの送信電力を調整する。
−  基準信号情報：  割当てに関連する基準信号の送信または受信に使用される、適用されるサイクリックシフトや直交カバーコードインデックスなど。
−  アップリンクまたはダウンリンク割当てインデックス：  割当ての順序を識別するために使用され、ＴＤＤシステムにおいて特に有用である。
−  ホッピング情報：  例えば、周波数ダイバーシチを増大させるためにリソースホッピングを適用するかと、適用方法を示す。
−  ＣＳＩ要求：  割り当てられるリソースにおけるチャネル状態情報（ＣＳＩ）の送信をトリガーするために使用される。
−  マルチクラスタ情報：  シングルクラスタ（リソースブロックの連続的なセット）またはマルチクラスタ（連続的なリソースブロックの少なくとも２つの不連続なセット）で送信を行うかを指示して制御するために使用されるフラグである。マルチクラスタ割当ては、３ＧＰＰ  ＬＴＥ−（Ａ）リリース１０によって導入された。
【００２５】
なお、上記のリストは、これらに限定されるものではなく、また、使用されるＤＣＩフォーマットによっては、リストした情報項目すべてを各ＰＤＣＣＨ送信に含める必要はないことに留意されたい。
【００２６】
ダウンリンク制御情報（ＤＣＩ）は、全体のサイズと、フィールドに含まれる情報とが異なるいくつかのフォーマットの形をとる。ＬＴＥにおいて現在定義されている異なるＤＣＩフォーマットは、以下のとおりであり、非特許文献３の５.３.３.１節に詳しく記載されている（この文書は、３ＧＰＰのウェブサイトにおいて入手可能であり、参照によって本明細書に組み込まれている）。例えばＤＣＩフォーマット０は、アップリンク送信モード１または２においてシングルアンテナポート送信を使用するＰＵＳＣＨのためのリソースグラントを送信するのに使用される。
【００２７】
ユーザ機器がＰＤＣＣＨ送信を正常に受信したかを自身で認識できるようにする目的で、各ＰＤＣＣＨ（すなわちＤＣＩ）に付加される１６ビットのＣＲＣ（巡回冗長検査）によって誤り検出が提供される。さらには、ユーザ機器が自身を対象とするＰＤＣＣＨを識別できることが必要である。このことは、理論的には、ＰＤＣＣＨペイロードに識別子を追加することによって達成できる。しかしながら、「ユーザ機器の識別情報」によってＣＲＣをスクランブルする方がより効率的であり、追加のオーバーヘッドが節約される。ＣＲＣの計算およびスクランブリングは、非特許文献３（この文書は参照によって本明細書に組み込まれている）の５.３.３.２節「ＣＲＣ  ａｔｔａｃｈｍｅｎｔ」において３ＧＰＰによって詳細に定義されているように行うことができる。この節には、巡回冗長検査（ＣＲＣ）を通じてＤＣＩ送信に誤り検出を導入する方法が記載されている。簡潔に要約すると以下のようになる。ペイロード全体を使用して、ＣＲＣパリティビットを計算する。パリティビットを計算して付加する。ユーザ機器の送信アンテナの選択が設定されていない、または適用可能ではない場合、付加した後、ＣＲＣパリティビットを対応するＲＮＴＩによってスクランブルする。
【００２８】
したがって、ユーザ機器は、「ユーザ機器の識別情報」を適用することによってＣＲＣをデスクランブルし、ＣＲＣ誤りが検出されなければ、そのＰＤＣＣＨが自身を対象とする制御情報を伝えているものと判断する。ＣＲＣを識別情報によってスクランブルする上述したプロセスにおいては、「マスキング」および「デマスキング」という用語も使用される。ＤＣＩのＣＲＣをスクランブルする上述した「ユーザ機器の識別情報」は、ＳＩ−ＲＮＴＩ（システム情報無線ネットワーク一時識別子）とすることもでき、このＳＩ−ＲＮＴＩは、「ユーザ機器の識別情報」ではなく、送信される情報のタイプ（この場合にはシステム情報）に関連付けられる識別子である。ＳＩ−ＲＮＴＩは、通常では仕様において決められており、したがってすべてのユーザ機器においてあらかじめ既知である。
【００２９】
物理ダウンリンク制御チャネル（ＰＤＣＣＨ）は、例えば、ダウンリンクまたはアップリンクでデータを送信するためのリソースを割り当てるスケジューリンググラントを伝える。１つのサブフレームにおいて複数のＰＤＣＣＨを送信することができる。ユーザ機器へのＰＤＣＣＨは、サブフレームの中の最初のＮＰＤＣＣＨｓｙｍｂ個のＯＦＤＭシンボル（通常では１個、２個、または３個のＯＦＤＭシンボル（ＰＣＦＩＣＨによって示される）、例外的なケースでは２個、３個、または４個のＯＦＤＭシンボル（ＰＣＦＩＣＨによって示される））で送信され、ＯＦＤＭシンボルはシステム帯域幅全体にわたり延びている。システム帯域幅は、一般にはセルまたはコンポーネントキャリアの範囲に等しい。時間領域における最初のＮＰＤＣＣＨｓｙｍｂ個のＯＦＤＭシンボルと、周波数領域におけるＮＤＬＲＢ×ＮＲＢｓｃ本のサブキャリアとによって占有される領域は、ＰＤＣＣＨ領域または制御チャネル領域とも称される。周波数領域におけるＮＤＬＲＢ×ＮＲＢｓｃ本のサブキャリアにわたる、時間領域における残りのＮＰＤＳＣＨｓｙｍｂ＝２＊ＮＤＬｓｙｍｂ−ＮＰＤＣＣＨｓｙｍｂ個のＯＦＤＭシンボルは、ＰＤＳＣＨ領域または共有チャネル領域と称される。トランスポートチャネルのレベルにおいては、ＰＤＣＣＨを介して送信される情報は、第１層／第２層（Ｌ１／Ｌ２）制御シグナリングとも称される（第１層／第２層制御シグナリングの詳細については前述した説明を参照）。
【００３０】
３ＧＰＰは、ＬＴＥのさらなる機能強化として、マシンタイプ通信（ＭＴＣ）におけるネットワークの改善に関する取り組みを開始した。ＭＴＣ端末またはＭＴＣ装置は、通常では人によって操作されないことを特徴とする。通信相手は、いわゆるＭＴＣサーバや別のＭＴＣ端末など、別のマシンである。ＭＴＣ装置は３ＧＰＰによって規定されている移動端末とすることもできるため、本説明では全体を通じて「ユーザ機器（ＵＥ）」などのより一般的な呼称を使用しており、したがって、ＭＴＣ装置、ＭＴＣ端末、またはユーザ機器（ＵＥ）は、互いに置き換えて使用することができる。
【００３１】
ＭＴＣは、人同士の通常の通信とは異なるいくつかの特有の特徴を有する。３ＧＰＰでは、ネットワーク動作を最適化する目的でこれら特有の特徴を識別することを試みている。これらの固有な特徴は「ＭＴＣの特徴（MTC features）」と称される。例えば、ＭＴＣ装置は、一般には少量のデータを送る、または受信する。ＭＴＣ装置および３ＧＰＰコアネットワーク（ＣＮ）の別の特徴として、外部サーバ（ＭＴＣサーバ）は、ＭＴＣサーバとの通信を開始するようにＭＴＣ装置をトリガーすることができる。これは、いわゆる「デバイストリガリング」によって可能になる。デバイストリガリングは、ＭＴＣサーバによって開始され、さまざまな手段によって実行することができる。
【００３２】
マシンタイプ通信（ＭＴＣ）を目的としてＬＴＥによって定義されているセルのカバレッジ範囲に加えて、さらなるカバレッジの拡張の必要性が認識されている。特にＭＴＣにおいてカバレッジの拡張が必要であるのは、例えば、ＭＴＣ端末の一般的な配備状況によるものである。ＭＴＣ端末は、多くの場合に建物の内部深くに配備され、このため通常のＬＴＥ装置において予期されるシナリオよりも、無線インタフェースにおけるずっと大きな建物侵入損失が生じうる。
【００３３】
３ＧＰＰによって考慮されているＬＴＥカバレッジ拡張のいくつかのコンセプトは、非特許文献６に記載されている。特に、アップリンク送信におけるＴＴＩバンドリングが検討されている。
【００３４】
非特許文献７、特に９.５.６節では、ＰＤＳＣＨにおける繰り返しのコンセプトが簡潔に記載されており、想定される繰り返しの数は１００〜２００の範囲内である。９.５.５節において想定されているＰＵＣＣＨにおける繰り返しの数は、５０〜１００の範囲内である。カバレッジを拡張する目的で、主たる技術として、標準規格においていわゆる「繰り返し」が検討されてきた。繰り返しとは、時間領域における冗長性および大きなダイバーシチを提供する目的で、同じデータを複数のサブフレーム内で拡散して送信する、すなわち同じデータのコピーを複数のサブフレームにおいて伝えることを意味する。この繰り返し技術は、任意のチャネルまたは各チャネルに適用することができる。特定のシナリオにおいてカバレッジを拡張する目的で、繰り返しを設定および再設定することができる。
【００３５】
しかしながら、時間領域での繰り返しによってスペクトル効率も低下し、なぜなら繰り返しを送信するために１基のユーザ機器（ＵＥ）あたり要求される物理リソースが増大するためである。このことは、ダウンリンク送信においては極めて重大である。したがって、繰り返しモードを効率的に使用することが望まれている。
【先行技術文献】
【非特許文献】
【００３６】
【非特許文献１】3GPP specification TR 25.913, “Requirements for Evolved UTRA and Evolved UTRAN”, ver.9.0.0
【非特許文献２】3GPP TS 36.211, “Evolved universal terrestrial radio access (E-UTRA); physical channels and modulations (Release 12)”, version 12.1.0
【非特許文献３】3GPP TS 36.212, v.12.0.0, “Evolved universal terrestrial radio access (E-UTRA); Multiplexing and channel coding”, 2013
【非特許文献４】3GPP TS 36.331, v.12.1.0, 2014, “Radio Resource Control: Protocol specification”
【非特許文献５】3GPP TS 36.213, v.12.1.0, 2014, “Physical Layer Procedures”
【非特許文献６】3GPP TR 36.824 v11.0.0, “E-UTRA LTE coverage enhancement”, June 2012
【非特許文献７】3GPP TR 36.888 v12.0.0
【非特許文献８】3GPP TS 36.211, v12.2.0., “Physical channels and modulation”
【発明の概要】
【発明が解決しようとする課題】
【００３７】
ＬＴＥにおけるデータ受信装置は、チャネル品質インジケータ（ＣＱＩ）を含むフィードバック情報を提供する。しかしながら、繰り返しを採用してカバレッジを拡張する場合、チャネル品質インジケータ（ＣＱＩ）はほとんどの場合に値として「範囲外」を示すことが認識されており、なぜならカバレッジ拡張は、通常のカバレッジが利用可能ではない場合に採用されるように意図されているためである。この影響として、基地局は、データ受信装置に対して設定するべきバンドルの長さを正確に推定することができない。バンドルのサイズを正しく設定することは、リソースを効率的に利用するうえで重要である。バンドルが必要以上に長い場合、高コストの冗長性が導入され、結果としてシステムの容量が減少しうる。バンドルが必要以上に短い場合、そのバンドルはデータを伝えるのに十分ではなく、否定確認応答（ＮＡＣＫ）を受信した後に追加の再送信がトリガーされる。これにより容量の損失が生じ、さらに、大きな遅延も生じうる。
【００３８】
上記の認識に鑑み、本開示の目的は、時間領域における繰り返しを採用するカバレッジ拡張の効率を高めることである。
【課題を解決するための手段】
【００３９】
この目的は、独立請求項の特徴によって達成される。
【００４０】
有利な実施形態は、従属請求項の主題である。
【００４１】
本開示の具体的な方法は、適切なバンドルサイズに関するフィードバックをデータ送信装置に提供することである。
【００４２】
本発明の一態様によると、無線通信システムにおいてデータを受信する装置であって、データ部分の最大で所定の数Ｎ個の送信信号であって、所定の数Ｎ個のそれぞれのサブフレームに符号化された、送信信号、を受信する受信ユニットと、データ部分が正常に復号されたか否かを判定し、判定の結果に従って肯定受信確認応答または否定受信確認応答を生成し、データ部分の復号が正常に行われるまでの送信信号の数Ｎｅを求める、フィードバック制御ユニットと、受信確認応答を送信し、求めた送信信号の数Ｎｅまたは求めた送信信号の数Ｎｅの関数に対応するバンドル長さ情報を送信するように構成されている送信ユニットと、を備えている、装置、を提供する。
【００４３】
本発明の別の態様によると、無線通信システムにおいてデータを送信する装置であって、データ部分の所定の数Ｎ個の送信信号であり、所定の数Ｎ個のそれぞれのサブフレームに符号化された、送信信号、を送信する送信ユニットと、データ受信装置から受信確認応答を受信し、かつバンドル長さ情報を受信するフィードバック受信ユニットであって、バンドル長さ情報が、データ受信装置においてデータ部分の復号が正常に行われるまでの送信信号の数または送信信号の数の関数に対応する、フィードバック受信ユニットと、受信されたバンドル長さ情報に従って所定の数Ｎを設定する送信制御ユニットと、を備えている、装置、を提供する。
【００４４】
本発明の別の態様によると、無線通信システムにおいてデータを受信する方法であって、データ部分の最大で所定の数Ｎ個の送信信号であり、所定の数Ｎ個のそれぞれのサブフレームに符号化された、送信信号、を受信するステップと、データ部分が正常に復号されたか否かを判定し、判定の結果に従って肯定受信確認応答または否定受信確認応答を生成し、データ部分の復号が正常に行われるまでの送信信号の数Ｎｅを求める、ステップと、受信確認応答を送信し、求めた送信信号の数Ｎｅまたは求めた送信信号の数Ｎｅの関数に対応するバンドル長さ情報を送信する、ステップと、を含む、方法、を提供する。
【００４５】
本発明の別の態様によると、無線通信システムにおいてデータを送信する方法であって、データ部分の所定の数Ｎ個の送信信号であり、所定の数Ｎ個のそれぞれのサブフレームに符号化された、送信信号、を送信するステップと、データ受信装置から受信確認応答を受信し、かつバンドル長さ情報を受信するステップであって、バンドル長さ情報が、データ受信装置においてデータ部分の復号が正常に行われるまでの送信信号の数または送信信号の数の関数に対応する、ステップと、受信されたバンドル長さ情報に従って所定の数Ｎを設定するステップと、を含む、方法、を提供する。
【００４６】
別の実施形態によると、コンピュータ可読プログラムコードが具体化されているコンピュータ可読媒体を備えたコンピュータプログラム製品であって、プログラムコードが本発明を実行するようにされている、コンピュータプログラム製品、を提供する。
【００４７】
一実施形態によると、上述した装置は、集積回路上に具体化されている。
【００４８】
本発明の上記の目的、別の目的、および特徴は、添付の図面に関連して提示されている以下の説明および好ましい実施形態から、さらに明らかになるであろう。
【図面の簡単な説明】
【００４９】
【図１】ＬＴＥのアーキテクチャ全体の例を示しているブロック図である。
【図２】ＬＴＥアクセスネットワークのアーキテクチャの例を示しているブロック図である。
【図３Ａ】繰り返しと、ＡＣＫ／ＮＡＣＫの直接的な拡散を使用して、データおよびフィードバックを送信する状況を示した概略図である。
【図３Ｂ】繰り返しと、ＡＣＫ／ＮＡＣＫの拡散におけるリソースホッピングを使用して、データおよびフィードバックを送信する状況を示した概略図である。
【図４】データ受信装置およびデータ送信装置を示しているブロック図である。
【図５】データ受信方法およびデータ送信方法を示している流れ図である。
【図６】受信確認応答とバンドル長さ情報を一緒にシグナリングするために使用される、複素平面における例示的なＱＰＳＫコンステレーションを示している概略図である。
【図７】図７Ａ、図７Ｂは、受信確認応答とバンドル長さ情報を一緒にシグナリングするために使用される、複素平面における２つの例示的な８−ＰＳＫコンステレーションを示している概略図である。
【図８】図８Ａ、図８Ｂは、受信確認応答とバンドル長さ情報を一緒にシグナリングするために使用される、複素平面における２つの例示的な１６−ＱＡＭコンステレーションを示している概略図である。
【発明を実施するための形態】
【００５０】
本発明の一実施形態は、データを繰り返し方式で送信および受信することに関し、繰り返しは、通信システムにおいて複数のサブフレームにわたり拡散される。通信システムは、特に、無線インタフェース通じて互いに通信するデータ送信装置およびデータ受信装置を含む。これらのデータ送信装置およびデータ受信装置は、それぞれ、ネットワークノード（基地局や中継器など）およびネットワークノードではない無線装置（ユーザ機器（端末）など）の一方とすることができ、ネットワークノードではない無線装置は、携帯電話、スマートフォン、タブレット、ノートパソコン、他のコンピュータとすることができる。この文脈における「ネットワークノード」という用語は、ネットワーク（例えばセルラーネットワーク）に接続されている任意のノードとして理解されたい。なお、「セルラーネットワーク」または「セル」という用語は、マクロセル、マイクロセル、ピコセル、フェムトセル、または任意の他のコンセプトを含む、任意の形態のセルを意味することに留意されたい。したがってネットワークノードは、ｅＮｏｄｅＢなどの基地局、またはネットワークの一部として提供される中継器とすることができる。
【００５１】
以下では、一実施形態について、ＬＴＥの仕様に基づいて説明する。しかしながら本発明は、ＬＴＥにまったく制限されない。本明細書に説明されているコンセプトおよび例は、データの繰り返しが適用される任意の無線システムに適用することができる。ＬＴＥシステムの場合、有利な実施形態においては、データ送信装置がｅＮＢであり、データ受信装置がユーザ機器である。したがって、ｅＮＢは、ｅＮＢ自身およびユーザ機器の両方によって適用される繰り返しを制御する。
【００５２】
データ受信装置という用語は、データ送信装置からデータを受信し、受信したデータの正常な受信および復号に関するフィードバックをデータ送信装置に提供する装置、を意味する。無線システムにおいてダウンリンク方向におけるデータ送信装置は、例えば基地局（ＬＴＥにおけるｅＮＢ）または中継ノードとすることができる。無線システムにおいてダウンリンク方向におけるデータ受信装置は、例えばユーザ機器とすることができる。無線システムにおいてアップリンク方向におけるデータ送信装置は、ユーザ端末またはユーザ機器（ＵＥ）である。しかしながら本発明は、基地局と端末との間の通信に限定されず、２基の端末の間の直接通信にも適用することができ、この場合には２基の端末のうちの１基がデータ送信装置であり、もう１基がデータ受信装置である。
【００５３】
上述したように、カバレッジを拡張する目的で繰り返しを適用するときには、繰り返されるデータ用に追加のリソースが必要である。したがって、システムのリソースを効率的に使用する目的で、繰り返しの数を慎重に選択しなければならない。特に、ダウンリンク方向では、繰り返しがボトルネックの原因となることがある。アップリンクリソースは一般にはボトルネックにつながらないはずであり、なぜなら、繰り返しをサポートするカバレッジ拡張モードでは過大な数の端末が同じサブフレーム内にスケジューリングされないものと想定されているためである。繰り返しを採用するカバレッジ拡張モードでは、同じトランスポートブロック（同じデータ部分）を使用して１つまたは複数のコードブロックを形成する。同じトランスポートブロックに関連する（１つまたは複数の）コードブロックが、複数のサブフレーム（バンドル）において送信され、このとき途中で端末からｅＮＢに肯定確認応答または否定確認応答がフィードバックされない。たとえコードブロックが同じではない場合でも、これらのコードブロックは同じトランスポートブロック（同じデータ部分）を表しており、これによりトランスポートブロックの繰り返しが容易になると考えられる。バンドル全体を送信するのに要求される合計時間をできる限り小さく維持し、結果としてデータの送信遅延が最小となるようにする目的で、このようなバンドルは、連続するサブフレームにおいて送信されることが好ましい。この送信方法は、チャネル状態が変動していない、または変動がわずかであり、送信機がそのことを正しく認識している場合に、チャネル容量を良好に利用するうえでも有利である。これに対して、チャネル状態が正しく認識されていない、もしくは時間とともに変動している、またはその両方である場合には、時間ダイバーシチを利用することが好ましく、そのためにはバンドルが長い時間にわたっているならば有利である。したがってそのような場合、それぞれが少なくとも１つのサブフレームである１つまたは複数のギャップを伴ってバンドルが送信されるならば好ましい。最初のバンドルのこれらギャップ部分のサブフレームは、システムにおいて対応するチャネル容量が失われないように、別のデータ受信装置への送信に使用することができる。
【００５４】
データ送信装置は、繰り返しを生成して送信する目的で、送信するデータ部分を決定する。このデータ部分は、例えば、ＬＴＥにおいて定義されているトランスポートブロックとすることができる。次いで、繰り返しの数（バンドルの長さ）に従って、データ部分を符号化してＮ個のコードブロックを形成する。ダイバーシチを増大させる目的で、少なくとも部分的にデータ部分を異なる方式で符号化することができ、結果としてデータ部分のＮ個のコードブロックがすべて同じではない、あるいは互いに異なり、極端な場合には符号化が完全に異なる。これに代えて（ただし依然としてこの実施形態に範囲内である）、データ部分を符号化し、同じ方式で符号化されたバージョンを複数の異なるサブフレームの中で送信することができ、結果としてＮ個の同じコードブロックとする。データ部分のコピーを個別の異なる方式で符号化すると、ダイバーシチが高まる。例えば、ハイブリッド自動再送要求（ＨＡＲＱ）において適用される手法と同様に、受信機におけるチェイス合成または増分冗長性を可能にする異なる冗長バージョンを使用して、データ部分を符号化することができる。前方誤り訂正（ＦＥＣ）およびレートマッチングによって符号化して冗長バージョンを生成する方法は、非特許文献３の特に５節に例示的に概説されている。
【００５５】
符号化または繰り返されたコードブロックを生成した後、これらのコードブロックをシステムリソースにマッピングする。特に、この実施形態においては、各コードブロックを個々のサブフレームにマッピングする。以下では、（同じ）データ部分の送信信号すべてのセットを、「バンドル」と称する。バンドルのサイズ、すなわちコードブロック（同じデータ部分の送信信号）の数は、データ送信装置（例えばｅＮＢ）によって、対応するＤＣＩ指示情報の中で、または半静的な設定により、データ受信装置（例えばユーザ機器）にシグナリングすることが有利である。ＤＣＩの受信可能範囲を増大させる目的で、ＤＣＩ自体もしくはシグナリングまたはその両方を複数のサブフレームにおいて送信することができる。
【００５６】
データ送信装置は、Ｎ個のサブフレームに符号化された、同じデータ部分の所定の数Ｎ個の送信信号（コードブロック）を送信する。ここでＮは、１に等しいかまたは２以上の整数であり、以下では「送信バンドル」とも称する。言い換えれば、Ｎは、データ送信装置によって生成される送信信号（場合によっては異なる方式で符号化された、同じデータ部分の繰り返し）の数を意味する。
【００５７】
本発明の例示的な一実装形態においては、所定の数Ｎは、データ送信装置によって設定し、例えば、上位層（ＲＲＣやＭＡＣなど）による半静的なシグナリングによって、あるいは物理層において（例えばＤＣＩの一部として）、データ送信装置からデータ受信装置に通知することができる。具体的には、所定の数Ｎは、「ＲＡＤＩＯ  ＢＥＡＲＥＲ  ＳＥＴＵＰ」や「ＲＡＤＩＯ  ＢＥＡＲＥＲ  ＲＥＣＯＮＦＩＧＵＲＡＴＩＯＮ」などのＲＲＣメッセージの中で設定することができる。これに代えて、所定の数ＮをＭＡＣ情報要素の中でデータ受信装置に伝えることができる。特定のケースでは、Ｎはバンドルサイズに等しく、したがって上に概説したＤＣＩによって伝えることができる。しかしながら本発明は、データ部分の送信信号の数Ｎをデータ受信装置に通知することに制限されない。特に、送信信号の数Ｎを送らずに、送信機と受信機とで同じ方法で暗黙的に決定することもできる。これは例えば、後からさらに詳しく説明するようにデータ受信装置からデータ送信装置に送信される（すなわちフィードバックされる）バンドル長さ情報を含むフィードバック情報に基づいて、実行することができる。
【００５８】
データ受信装置は、自身がそのデータ部分を正常に復号することができたかを判定し、肯定確認応答または否定確認応答を生成する。データ部分が正常に復号されたか否かの判定は、パリティ符号、特に巡回冗長検査（ＣＲＣ）符号などの誤り検出符号をチェックすることによって実行することができる。ただし本発明は、正常に復号されたかを判定する上記の方法に限定されない。例えば、同じデータ部分の２つの送信信号を復号した後、復号された２つのデータ部分を比較し、２つのデータ部分が互いに異なる場合には復号が正常に行われなかったものと判断し、２つのデータ部分が異なっていない場合には復号が正常に行われたものと判断することによって、判定を実行することもできる。さらには、正常に復号されたかの判定は、同じデータ部分の複数の異なる送信信号から復号されたビットを合成した後に実行することができ、この方法は、複数の異なる送信信号が異なる符号化方式または異なる冗長バージョンを使用して符号化されている場合に、特に有利である。
【００５９】
復号が正常に行われたか否かに関する判定は、同じデータ部分の各送信信号（各繰り返し）の受信後に実行することが有利である。この方法の利点として、データ受信装置は、データ部分が正常に復号された時点で、同じデータ部分の以降の送信信号（最大Ｎ個の繰り返し）の受信もしくは復号またはその両方を無視することができる。この方法は、データ受信装置の電力を節約するうえで有利であり、このことはマシンタイプ通信の端末の場合に特に関連する。これに対して、複雑さの小さい実装形態を採用することができ、この場合、選択された数ｑ個の送信信号を受信した後に、復号が正常に行われたかの中間的な判定を実行する。この方法は、復号が正常に行われたかを、ｑの複数の異なる値に対応する複数回にわたり判定することによって、さらに拡張することができ、各ｑは１に等しいかまたは２以上かつＮ未満（１≦ｑ＜Ｎ）の整数である。適用できるｑの値は、設定可能とすることができ、データ送信装置によってデータ受信装置に通知する。例えば、Ｎ＝１６のうちｑ＝１０個の繰り返しの後に、判定を実行することができる。これに代えて、ｑ＝１０個の繰り返しの後と、次いでｑ＝１３個の繰り返しの後とに、判定を実行することができる。しかしながらこれらは例にすぎず、ｑは任意の方法で選択することができ、ネットワークによって設定可能／再設定可能とすることもできる。ｑの各値は、既存のＨＡＲＱおよび無線フレームの構造（最大８（＝２３）個のＨＡＲＱプロセスおよび１０（＝２１＊５１）個のサブフレームに基づく）にタイミングが対応するように、２のべき乗もしくは５のべき乗またはその両方によって表すことのできる整数とすることができる。復号が正常に行われたかの判定を複数回実行する場合、ｒ番目ごとの送信信号（１≦ｒ＜Ｎ）の後に判定することによって規則化することが有利である。ｒは、既存のＨＡＲＱおよび無線フレームの構造（最大８（＝２３）個のＨＡＲＱプロセスおよび１０（＝２１＊５１）個のサブフレームに基づく）にタイミングが対応するように、２のべき乗もしくは５のべき乗またはその両方によって表されることが好ましい。これは、ｒ＝１である特定のケースも含まれる（各送信信号の後に判定が実行される）。特に、同じデータ部分の復号が正常に行われたかの前の（１回または複数回の）判定において、正常に復号されなかったという結果となっている場合には、Ｎ個未満の送信信号を受信した後に、復号が正常に行われたかを（前述したように場合によっては複数回）判定することに加えて、同じデータ部分のＮ個の送信信号すべてを受信した後にも、復号が正常に行われたかの判定を実行するべきである。これに代えて、同じデータ部分のＮ個の送信信号すべてを受信した後に、復号が正常に行われたかの判定を実行することができる。
【００６０】
データ部分が正常に復号されたものと判定された時点でただちに肯定確認応答を生成し、言い換えれば、復号が正常に行われたという状態を、データ送信装置にフィードバックとして送信する目的で一時的に格納する。この場合、データ受信装置は、同じトランスポートブロックのさらなる復号の試み（Ｎ個の送信信号すべてを受信した後の試みを含む）をさらに省略することもできる。データ部分のＮ個の送信信号（繰り返し）すべてを受信した後に、そのデータ部分を正常に復号することができないときには、否定確認応答を生成する。
【００６１】
この実施形態の一実装形態においては、データ受信装置（ユーザ機器）は、復号が正常に行われたものと判定されるまでの繰り返しの数ｒとは無関係に、バンドル内の最後のサブフレームを受信した後に、肯定確認応答または否定確認応答を含むフィードバックを基地局に提供する。しかしながら本発明は、このような実装形態に限定されず、一般的には、データ受信装置がデータ部分を正常に復号することができた時点でただちに肯定確認応答をデータ送信装置に提供することができる。例えば、データ受信装置は、復号が正常に行われるまでの最初のｒ個（ｒは１に等しいかまたは２以上かつＮ未満）の繰り返しの後に、肯定確認応答をデータ送信装置に提供することができる。
【００６２】
本発明のこの実施形態によると、データ受信装置は、時間領域における繰り返しのバンドル長さ（すなわちデータ部分の送信信号の数）に関するフィードバックを、基地局に提供する。このフィードバックの目的は、送信装置が以降の送信における適切な繰り返しの数を選択できるようにする情報を送信装置に提供することである。バンドル長さ情報は、特に、データ受信装置がデータ部分を正常に復号するのに十分なバンドル長さを示すべきである。例えば、バンドル長さ情報は、過去に、ある数のコードブロックが送信されて正常な復号につながったときのサブフレームの同じ対応する数、またはそのような数の関数、とすることができる。ここで過去とは、（１つまたは複数の）データ部分を含むそれぞれの１つまたは複数のバンドルの１回または複数回の過去の受信である。データ受信装置が、いくつかのバンドル長さ（ｒの異なる値など）において正常に復号されたものと判定した場合、このような数のうち最小の数（例えばこのようなｒの値のうちの最小値）を使用して、対応するフィードバックを生成する。
【００６３】
上述したように、ＬＴＥのダウンリンクにおいては、繰り返しを採用することによってカバレッジを拡張する場合に、現在のところｅＮＢへの品質のフィードバックは行われず、なぜなら多くの場合、提供されるＣＱＩによって、ユーザ機器が範囲外である（すなわちｅＮＢの通常のカバレッジの外側である）ことが示されるためである。したがって、この実施形態によると、同じデータ部分の繰り返しの適切な数（バンドルの長さ）に関するフィードバックを求めて、ネットワークに（ｅＮＢに）フィードバックする。
【００６４】
具体的には、復号が正常に行われるまでのデータ部分の送信信号の数Ｎｄを求める。送信信号の数Ｎｄは、そのデータ部分を正常に復号するのに十分な繰り返しの最小の数とすることができる。最小の数を最も高い粒度で求めることが可能であるのは、復号が正常に行われたか否かの判定が各送信信号の後に実行される（ｒ＝１）場合のみである。しかしながら別の実装形態も可能であり、その場合には複雑さが減少する代償としてフィードバックの効果が低下する。例えば、データ部分の２個の繰り返しを受信するたびに（ｒ＝２）、または４個の繰り返しを受信するたびに（ｒ＝４）、復号を実行することが可能であり、この場合、そのデータ部分を正常に復号するのに十分な繰り返しの数の正確な最小値は、必ずしもＮｄとして求められない。例えば、４個の送信信号の後に復号のチェックを実行した結果として、復号が正常に行われなかったものと判定され、８個の送信信号の後に復号のチェックをもう一度実行した結果として、復号が正常に行われたものと判定された場合、そのデータ部分を正常に復号するのに十分な繰り返しの最小数は、値｛５，６，７，８｝のいずれかであるが、データ受信装置は、これらのうちどの値が正確であるかを判断することができない。Ｎｄは、１個の繰り返しよりも大きな粒度（低い解像度）で求めることができるのみである。例えばｒ＝４の場合、Ｎｄがとりうる値は４，８，１２，…である。したがって上の例では、データ受信装置はＮｄ＝８と判定し、なぜならこの値は、データ受信装置が、そのデータ部分が正常に復号されたものと判定することができた最小の繰り返しの数であるためである。一般的には、データ部分が正常に復号されるまでの、データ部分の送信信号の数Ｎｄは、１以上の整数であり、Ｎの値および少なくとも別の値をとりうる。
【００６５】
例示的な一実装形態においては、数Ｎｄは、Ｎより小さいかまたは等しく、Ｎは、データ送信装置によって送信されるデータ部分の繰り返しの所定の数である。言い換えれば、値Ｎｄは、最も最近に送信された送信バンドルのみを対象として求められ、したがってＮの値を超えることはない。この実装形態の利点として、Ｎｄは上限が確定しており、したがってＮｄがとりうる値は、最大Ｎまでの有限個の値である。
【００６６】
別の実装形態においては、値Ｎｄは、同じデータ部分に関連するすべての送信バンドルの累積バンドルサイズに関連して求められる。この実装形態の利点として、値Ｎｄはそれ自体で完全な情報であり、なぜなら値Ｎｄはデータ部分の繰り返しの合計数を表すためである。しかしながらその一方で、この実装形態では理論的にＮｄが無限数となることがあり、これは実用的ではない。したがってこのような実装形態においては、所定の値Ｎｄｍａｘが定義することが好ましく、データ受信装置による正常な復号のためにはＮｄｍａｘより多くのデータ部分の繰り返しが必要であるものと判定された場合に、値Ｎｄｍａｘを想定する。したがってＮｄｍａｘは、同じデータ部分の送信信号（コードブロック）を伝えるすべての送信バンドルにわたってカウントされる繰り返しの最大数である。同じデータ部分の異なるバンドルの間で送信バンドルの長さＮが変更されない場合、値ＮｄｍａｘはＮの整数倍であることが好ましい。
【００６７】
上述した実装形態においては、数ＮｄがＮより大きいことがあり、すなわち最初のＮ個の繰り返しの後に否定確認応答となる場合、同じデータ部分の送信信号の累積数を求めることができる。例えば、Ｎ＝１６であり、データ受信装置が１６個の繰り返しすべてを受信した後も依然としてそのデータ部分を正しく復号することができなかった場合、否定確認応答が発行され、データ送信装置は、同じデータ部分の１６個の送信信号を再び繰り返し、結果として同じデータ部分の繰り返しは合計３２個となる。この再送信中、１０個目の送信信号の後にそのデータ部分が正常に復号された場合、パラメータＮｄの値をＮ＋１０（すなわち値２６）として求めることができる。さらには、最初のバンドルのＮの値と、同じデータ部分に関連する２番目の送信バンドルの値Ｎとが異なってもよい。例えば、送信バンドルのサイズがＮ１であり、Ｎ１個の繰り返しの後にデータ部分を正常に復号できなかった場合、送信バンドルの再送信において送信バンドルのサイズを新しい値Ｎ２に再設定することができる。Ｎ１個の繰り返しとＮ２個の繰り返しにおいて伝えられたデータ部分を依然として復号できなかった場合、さらなる送信バンドルを送信することができる。一例として、３番目の送信バンドルにおける４個の繰り返しの後にデータ部分が復号されたと想定すると、Ｎｄとしてシグナリングされる値はＮ１＋Ｎ２＋４である。上述したように、ｒ＞１である場合、それに対応してＮｄの解像度は１より粗くなる（より粗い解像度は、同じ範囲に対するより少ない値に対応する）。
【００６８】
データ受信装置は、送信信号の数Ｎｄを求めた後、データ送信装置にフィードバックを送信する。フィードバックには、特に、求めた（観察された）送信信号の数Ｎｄを考慮したときに適切な送信信号の数Ｎｅに関する情報が含まれる。このようなバンドル長さ情報Ｎｅは、データ部分の復号が正常に行われるまでの、求めた送信信号の数Ｎｄをそのまま使用することができる。しかしながら、バンドル長さ情報を、求めた送信信号の数Ｎｄの関数（例えば今回求めたＮｄと以前に求めたＮｄの値の平均または中央値、あるいはこれらの任意の別の関数）であるバンドル長さＮｅとすることもできる。一般的には、正常に復号するのに十分であると推定される送信の数Ｎｅを、データ受信装置からバンドル長さ情報としてデータ送信装置に提供する。
【００６９】
なお、求めた各Ｎｄをフィードバックとして送信しなくてもよいことに留意されたい。一般的には、バンドル長さ情報を送信する頻度は、十分な送信信号の数Ｎｄを求める頻度とは異なっていてよい。この実施形態の例示的な一実装形態においては、各バンドル送信の後に（すなわちデータ部分のバンドルであるＮ個の繰り返しすべてを送信した後に）、バンドル長さ情報を含むフィードバックを肯定確認応答または否定確認応答と一緒に送信する。この実施形態の別の実装形態においては、バンドル長さ情報を、肯定確認応答または否定確認応答よりも少ない頻度で送信する。この場合、求めた複数のＮｄ値を平均することが特に有利である。しかしながら、平均の代わりに別の関数を使用することができる。例えば、最近のバンドル送信の中で最も頻度の高いＮｄ、または中央値、または最後に求めたＮｄを、推定される送信の数Ｎｅとして送信することができる。最近のバンドル送信の中で最も頻度の高いＮｄは、最も可能性の高い単一の送信条件を表すため、好ましい。最後に求めたＮｄは、最も最近の送信条件を最も正確に表すため、好ましい。これに代えて、求めたＮｄのうち最大のＮｄを、推定される送信数Ｎｅとして送信することができ、なぜならこの値は一種の最悪の送信条件の情報を提供するためである。これに代えて、求めたＮｄのうち最小のＮｄを、推定される送信数Ｎｅとして送信することができ、なぜならこの値は一種の最良の送信条件の情報を提供するためである。
【００７０】
要約すると、バンドル長さ情報Ｎｅは、求めたＮｄまたはＮｄの関数からなる、または含むことができる。バンドル長さ情報は、例えば可変長符号を使用することによって、もしくは差分符号化（前に送信された値との差を符号化する）によって、またはこれらの両方によって、さらに符号化することができる。Ｎｅのとりうる値は、Ｎｄと同様に、整数の連続的な範囲である必要はない。そうではなく、Ｎｅによって、有限個の不連続な数を伝えることができる。Ｎｄのとりうる値について前に簡単に説明した特定の制約を、必要な変更を加えて適用することができる。
【００７１】
データ送信装置は、バンドル長さ情報を含むフィードバック情報を受信する。
【００７２】
次いで、データ送信装置（例えばＬＴＥにおけるｅＮｏｄｅＢ、または一般的には基地局あるいはネットワークノード）は、フィードバックされたバンドル長さ情報Ｎｅを使用して、適用する送信バンドルサイズＮを制御する（すなわち以降のダウンリンク送信における送信バンドルのサイズＮを、例えば外部ループにおいて調整する）。具体的には、データ送信装置は、新しい送信バンドル長さＮを示す制御情報を生成し、それをデータ受信装置に送信し、さらなるデータ部分を送信するときに、シグナリングした送信バンドル長さを適用することができる。このような制御情報は、上位層メッセージの中で伝えることができる。次いでデータ受信装置は、新たに設定された送信バンドル長さに対する確認を、データ送信装置に送信することができる。上述したように、このようなシグナリングは、無線ベアラの確立時もしくは再設定時またはその両方において無線リソース制御（ＲＲＣ）プロトコルによって実行することができる。しかしながら本発明は、このような実装形態に限定されず、送信バンドルサイズＮの（再）設定は、任意の層において（例えばＭＡＣシグナリングまたは物理層シグナリングによって）実行することができる。例えば、送信バンドル長さＮは、ＤＣＩの中で（すなわち送信リソースの割当てと一緒に）動的に（再）設定することができる。このような場合、データ受信装置は、（再）設定に対する確認をデータ送信装置に送信しないことが好ましい。リソース割当てと一緒に（再）設定を送信する利点として、通常では、データ部分が正常に受信されたか否かを示すための確認応答が受信装置によってフィードバックされる。したがって、このような確認応答が存在することは、ＤＣＩが正しく検出されことを示すものであり、したがって送信バンドル長さＮの（再）設定も正しく検出されたことを暗黙的に示す。これに対してこのような確認応答が存在しないことは、ＤＣＩ、したがって送信バンドル長さＮの（再）設定も、正しく検出されなかったことを示す。
【００７３】
十分なバンドル長さＮｅに関するフィードバックを、データ受信装置からバンドル長さ情報の中で動的にデータ送信装置に提供する目的で、バンドル長さ情報を、データ部分の送信に対する肯定受信確認応答（ＡＣＫ）または否定受信確認応答（ＮＡＣＫ）と一緒に送信することができる。例えば、受信に対する確認応答とバンドル長さ情報を個別に符号化し、１つの制御メッセージの中で一緒に送信することができる。これに代えて、受信確認応答（肯定確認応答または否定確認応答）とバンドル長さ情報を一緒に符号化することによって、フィードバック情報を生成することができる。例えば、受信確認応答とバンドル長さ情報を一緒に符号化するためのコードワードセットを提供することができ、コードワードセットは、それぞれが肯定確認応答と特定のバンドル長さを示す複数のコードワードを含む。コードワードセットは、否定確認応答を示すコードワードをさらに含むことが有利である。
【００７４】
データ送信装置がフィードバック情報を受信してそれを正常に復号する可能性を高める目的で、受信確認応答の送信もしくはバンドル長さ情報の送信またはその両方も、複数の（アップリンク）サブフレームにわたり拡散させることができる。したがってフィードバック情報を複数のＭ個のサブフレームに拡散させることによって、フィードバック情報が時間領域における無線システムリソース（サブフレーム）にマッピングされ、複数のＭ個のサブフレームは、同じデータ部分の所定の数Ｎ個の送信信号の最後のサブフレームよりも少なくとも所定の数ｋ個のサブフレームだけ後ろに位置する。ここでＭは、１つのダウンリンクバンドルに関するフィードバック情報が送信されるサブフレームの数である。数ｋは、ダウンリンクバンドルの最後のサブフレームと、フィードバックを伝えるアップリンクバンドルの最初のサブフレームの間のサブフレームの数である。
【００７５】
上の実装形態では、フィードバック情報がバンドル送信を基準として同期的に送信される。この実装形態の利点として、フィードバック情報のためのリソースが、時間領域におけるバンドルの位置のみに依存して固定的に割り当てられる（事前に定義される）。しかしながら本発明は、フィードバックの同期的シグナリングに限定されず、一般的には、任意のリソース（前に割り当てられたリソースや、衝突の可能性があるランダムアクセス）において、フィードバック情報を送信することができる。
【００７６】
受信確認応答とバンドル長さのジョイント符号化（joint coding）を実行するための可能な方法の１つとして、バンドル長さ情報によって決まる拡散規則に従って、フィードバック情報をＭ個のサブフレームにわたり拡散させる。
【００７７】
拡散規則は、例えば、サブフレームの中の複数のアップリンクリソースのうち、フィードバック情報を送信するためにどのリソースが使用されるかを示す拡散符号に対応させることができる。例えば、ＬＴＥのＰＵＣＣＨでは、ＰＵＣＣＨリソースインデックスを使用して、サイクリックシフトインデックス、および場合によってはさらなる直交シーケンスインデックスを決定する。これに加えて、リソースブロックに対応する周波数領域インデックスを使用して、ＰＵＣＣＨ送信のパラメータを決定する。これらを使用して、またはこれらの組み合わせを使用して、フィードバック情報の送信に使用される、サブフレームの中のアップリンクリソースを決定することができる。一般的な形の拡散規則自体は、アップリンクのリソースホッピングパターンを決定するシーケンスまたはパターン（一例として１つまたは複数の擬似雑音発生器または乱数発生器によって生成される）によって表される。例えば、アップリンクのリソースホッピングパターンが周波数要素を含む場合、複数のサブフレームにわたる、またはサブフレームの中での、フィードバック情報の周波数ホッピングとなる。このような周波数要素は、例えばリソースブロックまたはコンポーネントキャリアとすることができる。アップリンクのリソースホッピングパターンが時間領域の要素を含む場合、ホッピングは、フィードバックがシグナリングされる複数の異なるサブフレームによって特徴付けられる。アップリンクのリソースホッピングパターンがサイクリックシフト要素を含む場合、フィードバック情報を送信する異なるサブフレームにおいて異なるサイクリックシフト系列が使用される。
【００７８】
このようなホッピングシーケンスの例として、各サブフレーム内に合計１６個の利用可能なアップリンクリソースがある場合、拡散符号は、各サブフレームについて、１６個のアップリンクリソースのうち、そのサブフレーム内でのフィードバックの送信に使用される１つのリソースを示す。正確なシーケンスは、例えば２進擬似雑音発生器（binary pseudo-noise generator）（４ビットを使用して０〜１５の擬似乱数を生成する）によって得ることができる。
【００７９】
これに代えて、拡散規則は、異なるユーザを分離するためにスペクトル拡散方式において使用される直交拡散符号など、それぞれの拡散符号に対応させることができる。拡散符号は、一般には、互いに直交する（すなわち相互シフト０における相互相関が０である）擬似ランダム系列（pseudo random sequences）である。この実施形態の例示的な一実装形態においては、所定の数ｄ個の符号のうち、いくつかの符号が、肯定確認応答と、それぞれの異なるバンドル長さ情報の値を指定する。
【００８０】
ＬＴＥにおけるＰＵＣＣＨを通じた確認応答の送信に適用する場合の特定の例として、拡散符号は、確認応答メッセージ自体を伝える送信信号のみに適用され、確認応答メッセージをコヒーレント復調するのに使用される対応する基準シンボルには適用されない。
【００８１】
例えば２つの異なる拡散符号の間の衝突を回避するために相互相関特性を改善する目的で、文献には、数多くの異なる系列生成方法または符号生成方法が記載されており、そのうちのいくつかを挙げれば、Ｇｏｌｄ系列、Ｚａｄｏｆｆ−Ｃｈｕ系列、嵩（かさみ）符号、Ｗａｌｓｈ符号、Ｌｅｈｍｅｒ乱数発生器である。
【００８２】
拡散符号の数ｄは、ダウンリンクのバンドル送信信号の数Ｎ（または一般的には、データ送信装置からデータ受信装置へのデータ送信信号の数）よりも小さくすることができる。このことは、推定された十分なバンドル長さＮｅのとりうる値１〜Ｎのすべては一義的にシグナリングされないことを意味する。そうではなく、Ｎｅの値のサブセット（部分集合）（具体的にはわずかｄ個のＮｅの値）のみを伝えることができる。このシグナリング方式は、正常に復号されたかのチェックの実行回数がＮ未満である（すなわち各繰り返しの後にチェックが実行されるわけではない）場合に、特に有利である。特に、ｄは、Ｎ／ｒの整数に等しいかまたはそれより大きいように選択することが有利である。
【００８３】
さらに、マシンタイプ通信（ＭＴＣ）のカバレッジを拡張するシナリオの場合、フィードバックの繰り返しの数Ｍはかなり大きくなりうるため（ＰＤＳＣＨでは現在Ｎ＝１００〜２００が一般的に想定されており、ＰＵＣＣＨでは現在Ｍ＝５０〜１００が一般的に想定されている）、ｄ個（＜Ｍ）の符号を結合または連結して確認応答を拡散させることができる。例えば、それぞれ長さｄ（ｄ＜Ｍ）（Ｍは好ましくはｄの整数倍）の一連の拡散符号が、バンドル長さ情報の値を示すことができる。この方法の利点として、たとえＭの数が大きい場合でも符号のセットが小さく維持され、特にチャネルが時間とともに変動する場合、短い符号の方が長い符号よりも自己相関特性または相互相関特性（特に直交性）が容易に維持される。なお本発明は、直交符号を使用することに限定されず、これに代えて、フィードバック（バンドル長さ情報）を拡散する目的に、Ｇｏｌｄ系列または任意の他の系列など擬似直交符号も使用できることに留意されたい。一般的には、拡散符号は直交符号である必要はない。しかしながら直交符号では、符号間の距離が最大であり、したがって受信機において拡散符号を識別するときの誤りの確率が最小である。たとえ非直交符号を使用する場合でも、変動するチャネルにおいて符号間の相関を小さく維持するためには、短い長さが好ましい。
【００８４】
フィードバック情報の繰り返し係数Ｍが、データ部分の繰り返しの最大数Ｎよりも小さい場合、拡散符号には、フィードバック情報の中でシグナリングされる十分なバンドル長さＮｅに関する曖昧性が残る。この理由として、シグナリングすることのできるバンドル長さＮｅの値の数は、バンドル長さのとりうる値の数Ｎではなく、Ｍ個のみであるためである。ここで、繰り返し係数Ｍの場合に、ｄ（＝Ｍ）個のみの（好ましくは直交）拡散符号（それぞれ利用可能な長さｄ＝Ｍ）が存在すると想定する。言い換えれば、Ｎｅのいくつかの値に、ｄ個の拡散符号インデックス１〜ｄ（または０〜ｄ−１）のうちインデックスｃの同じ拡散符号が適用される。各拡散符号には、他の符号と識別できるようにインデックスｃが割り当てられるものと想定する。
【００８５】
具体的には、拡散符号インデックスｃは、連続範囲の多義性（continuous range ambiguity）によって、次のように求めることができる。
【数１】
0006515176.tif 000002
0006515176.tif 000003
【数２】
0006515176.tif 000004
【００８６】
一般的には、使用する拡散符号の数Ｓは、利用可能な拡散符号の数ｄより小さいかまたは等しい。これに代えて、拡散符号インデックスｃは、次のようにモジュロによる多義性によって求めることができる。
【数３】
0006515176.tif 000005
この場合、拡散符号インデックスｃは、拡散符号インデックス１〜Ｓのうちの１つである。
【００８７】
別の代替形態においては、拡散符号インデックスｃとＮｅの間の関係を不規則に定義することができ、最も容易には、次のような参照テーブルによって表すことができる。
【００８８】
【表１】
0006515176.tif 000006
【００８９】
上の例示的なｃの関係は、異なる番号付け方式／インデックス方式が適用されるように（例えば１〜Ｓまたは０〜Ｓ−１を範囲とする拡散符号インデックスが適用されるように値１を加算または減算することによって）容易に修正できることが、当業者には理解されるであろう。
【００９０】
一実装形態においては、使用する拡散符号の数Ｓが、利用可能な拡散符号の数ｄに等しく、結果として、利用可能な拡散符号すべてが使用される。この実装形態の利点として、より短い拡散符号が使用され、したがって拡散符号の格納や生成に要求される複雑さもしくは記憶容量またはその両方が低減する。
【００９１】
別の実装形態においては、使用する拡散符号の数Ｓは、利用可能な拡散符号の数ｄよりも小さいが、フィードバックの繰り返し係数Ｍに等しい。この実装形態の利点として、利用可能な拡散符号のうちの選択されたサブセットのみが使用され、このサブセットは、特に有利な特徴（例えば互いにシフトされた異なる符号間の相互相関が小さい）を有する符号のサブセットとすることができる。
【００９２】
さらに別の実装形態においては、使用する拡散符号の数Ｓは、利用可能な拡散符号の数ｄより小さく、フィードバックの繰り返し係数Ｍより大きい。
【００９３】
上述したように、この例における拡散符号は、フィードバック情報の中で提供するバンドルサイズに従って選択される。その拡散符号を使用して、（肯定または否定）確認応答をＭ個のサブフレームに拡散させる。したがって、拡散符号の長さもＭに等しい。シグナリングする確認応答は、肯定確認応答または否定確認応答のいずれかとすることができる。したがって確認応答は、１ビットを使用することによってシグナリングすることができ、このビットを、長さＭの拡散符号によって、時間領域におけるＭ個のサブフレームにわたり拡散させる。確認応答を拡散させることによって、確認応答が正しく復号される確率が高まる。さらには、拡散符号の選択によって、バンドル長さ情報の符号化が可能になる。
【００９４】
別の実装形態（ｄ＜Ｎの場合についてすでに上にも簡潔に説明した）においては、使用するＳ個の拡散符号の長さＬは、フィードバックの繰り返し係数Ｍより小さい。この場合、拡散符号の長さがフィードバックの繰り返し係数Ｍの約数であるならば有利であり、結果として、Ｌ個のフィードバックサブフレームごとにブロック単位で拡散が適用される。このような実装形態は、フィードバックの繰り返し係数がチャネルのコヒーレンス時間に対して大きい場合に特に有利であり、なぜなら、拡散符号間の自己相関特性または相互相関特性が維持されるのは、一般的には、チャネルの特性が拡散符号の長さ全体にわたり極めてコヒーレントである場合のみであるためである。しかしながら、十分なカバレッジを達成するためには、フィードバックの繰り返しは容易に数十ミリ秒に達し、この値は、移動通信システムでは、拡散系列（特に直交性の場合）の小さい自己相関または相互相関を維持するうえで十分なコヒーレンスを提供するとは一般的にみなされない。代わりに、比較的短い長さＬの拡散符号を使用することが有利であり、長さＬは、通常では、使用する拡散符号の数Ｓの上限とする。Ｌの値は、使用する拡散符号の数Ｓとフィードバックの繰り返し係数Ｍとから暗黙的に決定する、または、制御メッセージ（例えばＭＡＣ制御要素またはＲＲＣメッセージによって伝えられる制御メッセージ）によって明示的に設定することができる。
【００９５】
肯定確認応答と否定確認応答とが互いに誤って解釈されること（ＡＣＫ−ＮＡＣＫ誤り）を回避する目的で、否定確認応答と肯定確認応答との間の距離ができる限り大きいように、（拡散符号を含む）結合コードワードを設計することが有利である。距離は、ハミング距離またはユークリッド距離として測定することができる。２つのバイナリコードワードの間で測定されるハミング距離とは、２つのコードワードにおいて互いに異なるビット位置の数である。ユークリッド距離とは、複素信号平面において２つのコードワードを表す２つのそれぞれの変調コンステレーションポイントの間の距離である。２つのコードワードの間の距離を大きくすることによって、第１のコードワードが第２のコードワードとして（またはこの逆として）復号される誤りの確率が減少する。
【００９６】
否定確認応答と、いずれかの肯定確認応答（すなわちバンドル長さ情報を示すために使用される拡散系列のいずれかによって拡散された肯定確認応答）との間の最小距離を大きくすることは、例えば、ｄよりも少ない拡散符号を使用することによって達成することができる。
【００９７】
具体的には、一連の拡散符号のうちインデックスｃの拡散符号（すなわちｓｐｒｅａｄｉｎｇ＿ｃｏｄｅ（ｃ））を選択することによって、フィードバック情報を符号化することができ、この場合、Ｓ個の拡散符号が存在し、Ｓは、２以上であり、かつ与えられた長さＬ≦Ｍの利用可能な（直交）拡散系列の数ｄより小さい整数である。Ｓ個の拡散符号のうち、Ｓ−１個の拡散符号は、肯定確認応答と、バンドル長さ情報を符号化するＳ−１個の値とを示す。さらには、否定確認応答を示す拡散符号と、肯定確認応答を示すＳ−１個の拡散符号のいずれかとの間のハミング距離またはユークリッド距離は、肯定確認応答を示すＳ−１個の拡散符号の間のハミング距離またはユークリッド距離より大きい。確認応答に適用することのできるＳ個の拡散符号は、確認応答（ＡＣＫ／ＮＡＣＫ）とバンドル長さ情報とを一緒に符号化する符号のＳ個の異なるコードワードとみなすことができる。
【００９８】
図３Ａは、上述したように繰り返しを使用してカバレッジを拡張する例を示している。この例においては、ｅＮｏｄｅＢは、バンドルサイズが１６個のサブフレームであること、すなわちデータ部分のダウンリンク送信が１６個のサブフレームに拡散されること（Ｎ＝１６）を、端末に示す。したがって端末は、同じデータ部分を１６回受信することを予期するように設定される。この例においては、繰り返しは、ＰＤＳＣＨの連続するサブフレームにおいて送信される。しかしながら本発明は、繰り返しを連続するサブフレームに拡散させる方法に限定されない。それに代えて、同じデータ部分の最初の送信信号を先頭としてＮ番目の送信信号を最後とする複数のサブフレームの数がＮより大きいように、繰り返しを時間領域において複数のサブフレームに分散させることができる。
【００９９】
図３の上部には、ｅＮｏｄｅＢによって送信されるＰＤＳＣＨバンドルを示してある。このＰＤＳＣＨバンドルの下には、端末における復号のさまざまなシナリオを例示してある。具体的には、端末は、送られたデータ部分の最初の４個の送信信号を受信し、これら４個の繰り返しを受信した後、巡回冗長検査符号に合格した場合、復号が正常に行われたものと判定することができる。このような場合（右向きの矢印によって示した）、肯定確認応答（ＡＣＫ）が生成され、ｅＮＢに送信される。肯定確認応答は系列［１  −１  −１  １］によって拡散され、この系列［１  −１  −１  １］は、４個の送信信号の後に（言い換えればサイズ４のバンドルの後に）端末がデータ部分を正常に復号したことを示すバンドル長さ情報に対応する。なお、図３のこの例は次の２つの方法で実施できることに留意されたい。
１．  同じデータ部分の４個の連続する送信信号それぞれを受信した後に復号を試みる（ｒ＝４）。
２．  同じデータ部分の１個の送信信号それぞれを受信した後に復号を試みる。
【０１００】
この例においては、拡散系列の長さは４である（フィードバックのバンドルサイズに対応する（Ｌ＝Ｍ＝４））ため、互いに直交する長さ４の異なる拡散系列が最大で４つ存在する。したがって、上の最初のオプションが有利であり、すなわち復号の試みは最大でも４回である（すなわち同じデータ部分の４個、８個、１２個、および１６個の送信信号を受信した後）。したがってバンドル長さ情報は、４個、８個、１２個、および１６個のサブフレームをそれぞれ示す４つの値をとるのみである。同じデータ部分の最初の４個の送信信号の復号が正常に行われない（すなわちＣＲＣチェックに合格しない）場合（図には下向きの矢印によって示してある）、端末は、同じデータ部分のさらなる４個の送信信号を受信した後に（すなわち８個の繰り返しを受信した後に）復号を試みる。８個の繰り返しを受信した後に復号が正常に行われた（ＣＲＣチェックに合格する）場合、肯定確認応答が生成され、十分な（推定される）バンドル長さＮｅ（この場合にはＮｅ＝Ｎｄ）の値が８であることを示す拡散系列［１  −１  １  −１］によって肯定確認応答が拡散される。８個の繰り返しの後に端末がデータ部分を正常に復号することができなかった場合、次の復号の試みは、さらなる４個の繰り返しを受信した後に（すなわち同じデータ部分の１２個の送信信号を受信した後に）行われる。１２個の送信の後に復号が正常に行われた場合、肯定確認応答が生成され、バンドル長さＮｅが１２であることを示す拡散系列［１  １  −１  −１］によって肯定確認応答が拡散されて送信される。
【０１０１】
同じデータ部分の１２個の送信信号を受信した後に復号が依然として正常に行われない場合、同じデータ部分の１６個の送信すべてを受信した後に復号を試みる。この時点で復号が正常に行われた場合、肯定確認応答が生成され、拡散系列［１  １  １  １］によって拡散される。これに対して、１６個の繰り返しすべての後に復号が依然として正常に行われない場合、同じ拡散系列［１  １  １  １］によって拡散された否定確認応答が送信される。肯定確認応答および否定確認応答は１ビットによって示すことができ、このビットは、それぞれ１および−１とする、または−１および１とすることができる。したがって、肯定確認応答かつＮｅ＝１６の場合に一緒に符号化されるコードワードは［１  １  １  １］であるのに対して、否定確認応答の場合のコードワードは［−１  −１  −１  −１］である。この方式の利点として、拡散ありのＮＡＣＫに使用される信号は、拡散なしのＮＡＣＫに使用される信号と同じに見え、さらに、拡散なしのＡＣＫ信号の逆数（inverse）である。これにより、特に、データ送信装置によってサーブされているセルにおいて、拡散なしのフィードバックとともに拡散ありのフィードバックが採用される場合に、この実施形態をより単純に実施することができる。これに代えて、１６個の繰り返しすべての後に正常に復号されなかった場合に使用される拡散符号が、最小のＮｅに使用される拡散系列（すなわちこの例では［１  −１  −１  １］）と同じである。肯定確認応答および否定確認応答は１ビットによって示すことができ、このビットは、例えばそれぞれ１および−１とする、または−１および１とすることができる。したがって、肯定確認応答かつＮｅ＝４の場合に一緒に符号化されるコードワードは［１  −１  −１  １］であるのに対して、否定確認応答の場合のコードワードは［−１  １  １  −１］である。この方式の利点として、ＮＡＣＫと、Ｎｅが最小時のＡＣＫとの間の距離が最大となり、結果として誤りの確率が小さい。
【０１０２】
図３の例は、上述したようにＳ＜ｄであるように修正することができる。例えばＳ＝３では、Ｎｅの３つの異なる値をシグナリングすることができる。これらの値は、例えば５，１０，１６とすることができる。しかしながらこれらの値は例にすぎず、任意の別の割当てもこの実施形態の範囲内である。例えば、Ｎに近い値について解像度を細かくすることは有利であり得る。これは、３つのＮｅ値を例えば６，１２，１６として分布させることによって、またはＮに近い値の間の距離が小さい別の並びにおいて、達成することができる。
【０１０３】
なお一般的には、データ受信装置がデータ部分の復号を試みるまでの繰り返しの数は、Ｎｅがとりうる値と同じである必要はないことに留意されたい。例えば、データ受信装置は、受信する繰り返しの数を、自身の処理能力に応じて（すなわちハードウェア／ソフトウェア実装を考慮して）選ぶことができる。その一方でシステムでは、フィードバックの観点において最も都合のよいＮｅの値を定義する、または設定することができる。このような場合、データ受信装置が、第１の値（数）の繰り返しを受信した後にデータ部分の復号が正常に行われたものと判定した場合、示すＮｅ値は、定義されているＮｅ値のうち、繰り返しのこの第１の値より大きい最小のＮｅ値とするべきである。例えば、Ｎｅに３つの異なる値５，１０，１６が定義されている場合、データ受信装置は、フィードバックとして示すＮｅ値を、次の関係を使用して決定するべきである。
【０１０４】
【表２】
0006515176.tif 000007
【０１０５】
この場合、３つのＮｅ値を、それぞれの３つの異なる拡散符号によって符号化することができる。
【０１０６】
非直交拡散符号を使用する一般的な場合には、一例として、対応する拡散符号として０〜１５の２進表現を使用する。したがってＮ＝１６かつｒ＝１である場合、拡散符号インデックスｃと拡散符号との間の次のマッピングを得ることができる。
【０１０７】
【表３】
0006515176.tif 000008
【０１０８】
拡散符号がＡＣＫ／ＮＡＣＫ信号とのＸＯＲ関数として使用される場合には、拡散符号およびその逆数（例えば００００および１１１１）を採用することは実用的ではなく、なぜなら、００００によって拡散されたＡＣＫが、１１１１によって拡散されたＮＡＣＫと同じに見えるためである。したがって、ＮＡＣＫの場合のＸＯＲ関数としていずれかの拡散符号が使用される場合、その逆数は、いずれかのＡＣＫを示す目的に使用するべきではない。上のテーブルにおける単純な解決策は、拡散符号００００の使用を許可しないことである。
【０１０９】
上の例示的なテーブルから理解することのできる別の特性として、例えばｃ＝２とｃ＝１０の間の違いは、ただ１つのサブフレームの拡散演算にすぎない。このことは、例えばＮｄ＝Ｎｅ＝ｃである場合、データ送信装置において、たとえ比較的小規模な誤り（例えばこの場合のようにただ１つのサブフレームにおける誤り）でもＮｅ値の大きな誤りにつながりうることを意味する。信頼性を高めるためには、使用する拡散符号の数をさらに減らすべきであり、ｃと拡散符号との間の関係を、例えばＮｅの隣り合う値のハミング距離がつねに最小値１であるように選ぶべきである。次のテーブルは、上に挙げたモジュロによる多義性判定を使用した例を示している。
【０１１０】
【表４】
0006515176.tif 000009
【０１１１】
この場合、任意の隣り合う値ＮｅおよびＮｅ＋１の２つの拡散符号の間のハミング距離は１であり、任意のＮｅとＮｅ＋２の拡散符号の間のハミング距離は２である。結果として、最も可能性の高い誤りは、Ｎｅが１だけ異なる値に解釈される誤りである。これに加えて、ＡＣＫの任意の拡散符号とＮＡＣＫの拡散符号（テーブルの拡散符号から選択される場合）との間のハミング距離も２であり、すなわちＡＣＫ−ＮＡＣＫ誤りが、最も可能性の高い誤りのケースではない。
【０１１２】
次のテーブルは、連続範囲の多義性の別の例示的な関係を示している。
【０１１３】
【表５】
0006515176.tif 000010
【０１１４】
このテーブルでは、拡散符号は、ウォルシュ−アダマール行列（１／−１表記法から同等の１／０表記法に変更されている）に従って選択されている。ウォルシュ−アダマール行列の理論から知られているように、長さ２ｋの任意の２つの符号の間のハミング距離は２ｋ−１である（すなわち長さ４の符号の場合、ハミング距離は２である）。Ｎｅの粒度が低下することと引き換えに、すべての誤りのケースの可能性が、いくつかのハミング距離が１である８つの拡散符号を使用できる例の場合に等しいかそれより小さい。
【０１１５】
拡散系列の直交性を維持する目的で、任意の周知の直交擬似ランダム系列を適用することができる。例えば、ウォルシュ−アダマール符号、または離散フーリエ変換（ＤＦＴ）に基づく複素拡散符号を採用することができる。ウォルシュ−アダマール符号は、直交符号の長さが２のべき乗（４，８，１６，…など）である場合に使用することができる。以下は、４つの異なる拡散系列を表す行からなるウォルシュ−アダマール行列の例である（ここでは１および−１の表記法を使用しているが、１および０の表記法を使用する代替表現も同等であることが当業者には理解されよう）。
【０１１６】
【数４】
0006515176.tif 000011
【０１１７】
それ以外の長さ（５，６，７，９，…など）は、ＤＦＴに基づく複素拡散符号を適用することによって達成することができる。以下は、行列の行によって形成される、ＤＦＴに基づく複素拡散符号の例を示す。
【０１１８】
【数５】
0006515176.tif 000012
【０１１９】
これに代えて、拡散にＺａｄｏｆｆ−Ｃｈｕ（ＺＣ）系列を使用することができる。Ｚａｄｏｆｆ−Ｃｈｕ系列は、自身のサイクリックシフトの相関が０である複素拡散符号である。端末が、異なるサブフレームにおいて同じＺａｄｏｆｆ−Ｃｈｕサイクリックシフトを使用して送信する場合、それらの送信は、たとえいくつかのサブフレームが重なっていても直交性である。端末が、同じサブフレームにおいて異なるＺａｄｏｆｆ−Ｃｈｕサイクリックシフトを使用して送信する場合、符号間干渉は発生しない。Ｚａｄｏｆｆ−Ｃｈｕ系列の別の利点として、受信確認応答の送信を任意に開始することができ、すなわちフィードバック情報の送信においてスロットの枠組みを無視する（un-slotted）ことができる。Ｚａｄｏｆｆ−Ｃｈｕ系列は、ＬＴＥにおけるランダムアクセス手順でも採用されている。対応する仕様部分は、非特許文献８の５.５.１節に記載されている。
【０１２０】
【数６】
0006515176.tif 000013
【０１２１】
上の例では、復号が正常に行われるまでの送信信号の数Ｎｄを求める。対応する情報（バンドル長さ情報）は、Ｎｄに対応させることができる。バンドル長さ情報は、このＮｄをそのまま伝えることができる。しかしながら、バンドル長さ情報は、求めた送信信号の数Ｎｄの関数を伝えることもできる。例えばバンドル長さ情報は、サブフレームの最大数（Ｎ）のうち、正常に復号するうえで必要ではなかったサブフレームの数を示すことができる。この数は、最大数までのオフセットに相当し、利点として、最大数に近い粒度が細かくなり、またＮの値自体からも独立しており、したがって、バンドル長さが頻繁に（例えばバンドルごとに）変更されうる場合に特に有利である。一例として、この実施形態では以下のフィードバック情報を使用することができる。
【０１２２】
【表６】
0006515176.tif 000014
【０１２３】
この場合、バンドル長さ情報の３つの値を、それぞれの異なる（例えば直交）拡散符号によって符号化することができる。
【０１２４】
さらには、否定確認応答を、必要なさらなる再送信の数（すなわち同じデータ部分の次のバンドルをどれくらいの長さにするべきか）を示す異なる拡散符号によって拡散することもできる。この方式は、データ送信装置（ｅＮｏｄｅＢなど）が再送信をスケジューリングするうえで有用であり得る。端末は、例えば、それまでに受信した１つまたは複数のデータ部分の２つ以上の送信バンドルの送信後に、同じデータ部分の送信信号の総数Ｎｄを求めることができる。しかしながら本発明はこの方式に限定されず、（同じデータ部分のすべての送信バンドルにわたりカウントされる）すべての送信信号の数Ｎｄを、そのデータ部分の復号を試みるときに軟復号器によって計算される信頼性のメトリックに基づいて推定することができる。例えば、最も可能性の高い（最も信頼できる）コードワードの信頼性と、二番目に可能性の高い（二番目に信頼できる）コードワードの信頼性とを比較し、その結果に応じて（例えば差に比例する値として）Ｎｄを求めることができる。
【０１２５】
フィードバック情報を拡散させる動作は、Ｉ／Ｑ領域において実行することもできる（すなわち拡散させる動作を複素信号平面における信号の修正とみなすことができる）。否定確認応答といずれかの肯定確認応答（すなわちバンドル長さ情報を示すために使用される拡散系列のいずれかによって拡散された肯定確認応答）との間の最小距離を大きくすることは、複素信号平面における信号および系列をそのように設計することによって達成することができる。例えば、拡散前にＡＣＫが＋１によって表され、ＮＡＣＫが−１によって表される場合、例えばＰＳＫまたはＱＡＭ変調アルファベット（modulation alphabet）の形でＡＣＫ／ＮＡＣＫ信号が配置されるように拡散を設計することができ、この場合、複数のＡＣＫフィードバック信号およびＮＡＣＫフィードバック信号を、コンステレーションポイントのサブセットのみを使用して表すことができる。
【０１２６】
例えば、図６に示した単純なＱＰＳＫアルファベットは、次の変調点によって表すことができる。
【０１２７】
【数７】
0006515176.tif 000015
【０１２８】
Ｉ／Ｑ拡散後のＮＡＣＫの信号がｐＮＡＣＫ＝ｅｘｐ（ｊπ）であり、ＡＣＫフィードバックがＮｅの３つの異なる値Ｎ１，Ｎ２，Ｎ３を伝える必要がある場合、一例として、以下のコンステレーションポイントのマッピング（および対応する拡散符号の定義ｃ）を採用することができる（図７Ａに示した）。
【０１２９】
【数８】
0006515176.tif 000016
【０１３０】
このようなマッピングの場合、次の二乗ユークリッド距離を得ることができる。
【０１３１】
【表７】
0006515176.tif 000017
【０１３２】
なお、この設計は、利用可能な４つの拡散系列をすべて使っていることに留意されたい。
【０１３３】
例えば、単純な８−ＰＳＫアルファベットは、次の変調点によって表すことができる。
【０１３４】
【数９】
0006515176.tif 000018
【０１３５】
例えば、Ｉ／Ｑ拡散後のＮＡＣＫの信号がｐＮＡＣＫ＝ｅｘｐ（ｊπ）であり、ＡＣＫフィードバックがＮｅの３つの異なる値Ｎ１，Ｎ２，Ｎ３を伝える必要がある場合、一例として、以下のコンステレーションポイントのマッピング（および対応する拡散符号の定義ｃ）を採用することができる。
【０１３６】
【数１０】
0006515176.tif 000019
【０１３７】
このようなマッピングの場合、次の二乗ユークリッド距離を得ることができる。
【０１３８】
【表８】
0006515176.tif 000020
【０１３９】
これらＱＰＳＫの例および８−ＰＳＫの例のいずれにおいても、雑音が加法性白色ガウス雑音であると想定すると、誤りの確率は、二乗ユークリッド距離が小さくなるにつれて増大する。ＱＰＳＫの例では、最も可能性の低い誤りのケースがＮＡＣＫ−ＡＣＫ（Ｎｅ＝Ｎ１）およびＡＣＫ（Ｎｅ＝Ｎ３）−ＡＣＫ（Ｎｅ＝Ｎ２）であり、その次が、ＮＡＣＫ−ＡＣＫ（Ｎｅ＝Ｎ３）、ＮＡＣＫ−ＡＣＫ（Ｎｅ＝Ｎ２）、ＡＣＫ（Ｎｅ＝Ｎ１）−ＡＣＫ（Ｎｅ＝Ｎ２）、ＡＣＫ（Ｎｅ＝Ｎ１）−ＡＣＫ（Ｎｅ＝Ｎ３）であることが分かる。Ｎ１＜Ｎ２＜Ｎ３＝Ｎであるため、この場合、ＮＡＣＫと最小Ｎｅ値との間の誤りの可能性が最も低く、ＮＡＣＫと最大Ｎｅ値との間の誤りの可能性が、これより高い。
【０１４０】
８−ＰＳＫの例の場合、最も可能性の低い誤りのケースがＮＡＣＫ−ＡＣＫ（Ｎｅ＝Ｎ１）であり、その次がＮＡＣＫ−ＡＣＫ（Ｎｅ＝Ｎ２）であり、その次がＮＡＣＫ−ＡＣＫ（Ｎｅ＝Ｎ３）であり、最も可能性の高い誤りのケースがＡＣＫ（Ｎｅ＝Ｎ１）−ＡＣＫ（Ｎｅ＝Ｎ２）およびＡＣＫ（Ｎｅ＝Ｎ３）−ＡＣＫ（Ｎｅ＝Ｎ２）であることが分かる。Ｎ１＜Ｎ２＜Ｎ３＝Ｎであるため、この場合、ＮＡＣＫと最小Ｎｅ値のＡＣＫとの間の誤りの可能性が最も低く、最大Ｎｅ値のＡＣＫと中程度のＮｅ値のＡＣＫとの間の誤りと、最小Ｎｅ値のＡＣＫと中程度のＮｅ値のＡＣＫとの間の誤りの可能性が最も高いことを意味する。前述したように、これらはシステムにとって最も好ましい誤り特性であり、なぜなら異なるＮｅ値のＡＣＫ同士の誤りは、ＮＡＣＫといずれかのＡＣＫとの間の誤りよりも通信システムに対する影響が小さいためである。したがって、ＮＡＣＫとＡＣＫとの間の対応する二乗ユークリッド距離が、ＡＣＫとＡＣＫのコンステレーションポイント間の二乗ユークリッド距離よりも大きいことが好ましい。
【０１４１】
信号および拡散符号をＰＳＫアルファベットまたはコンステレーションに基づいて設計する利点として、各フィードバック信号が同じ電力で送信される。例えば、信号および拡散符号がＱＡＭアルファベットまたはコンステレーションに基づいている場合、設計では、送信電力が等しくなるコンステレーションポイントを使用するべきである。このことは、ＮＡＣＫには最大限に大きい送信電力のコンステレーションポイントを使用し、ＡＣＫおよびバンドル情報のさまざまな信号には、ＮＡＣＫ信号とは反対の象限に属し、かつ最大の送信電力のコンステレーションポイント以外のコンステレーションポイントを使用することによって、容易に達成することができる。例えば１６−ＱＡＭアルファベットにおいては、各コンステレーションポイントは、
【数１１】
0006515176.tif 000021
によって表すことができる。この場合、上記の条件を満たすための１つの可能な方法は図８Ａに示してあり、次式によって与えられる。
【数１２】
0006515176.tif 000022
【０１４２】
なお、８−ＰＳＫおよび１６−ＱＡＭでの本明細書における例示的な設計では、利用可能なコンステレーションポイントのうちのサブセットのみを使用する。当然ながら８−ＰＳＫコンステレーションでは最大８つの異なる拡散符号がサポートされ、１６−ＱＡＭでは最大１６個の異なる拡散符号がサポートされるため、これらの設計では、このようなサブセットを使用する方法によって、前述したように距離を大きくすることができるという側面がすでに含まれることに留意されたい。
【０１４３】
フィードバック信号用に４つ以上のＮｅ値を定義する必要がある場合には、別のコンステレーションポイントを追加することができる。本開示の一般的な態様は、ＮＡＣＫと最大Ｎｅ値のＡＣＫとの間の二乗ユークリッド距離が、ＮＡＣＫと最大値以外のＮｅ値との間の二乗ユークリッド距離のいずれよりも小さく、さらに、ＮＡＣＫと最小Ｎｅ値のＡＣＫとの間の二乗ユークリッド距離が、ＮＡＣＫと最小値以外のＮｅ値との間の二乗ユークリッド距離のいずれよりも大きいようにすることである。一般的には、ＮＡＣＫと、いずれかのＮｅ値のＡＣＫとの間の二乗ユークリッド距離ｄ２の順序は、Ｎｅ値の逆の順序であるべきである。言い換えれば、Ｎ１＜Ｎ２である場合、ｄ２（ＮＡＣＫ−ＡＣＫ，Ｎ１）≧ｄ２（ＮＡＣＫ−ＡＣＫ，Ｎ２）であり、ここで等号は、特に、ＱＰＳＫにおける上記のような場合に必要となりうる。この原則は、より高次のアルファベット（例えば６４−ＱＡＭアルファベットや１６−ＰＳＫアルファベットなど）、または複素座標によって表すことのできる規則性の低いアルファベットにも、等しく適用される。なお、当業者には理解されるように、使用するコンステレーションポイントそれぞれを、二乗ユークリッド距離の特性を変えることなく角度Φだけ回転させる（ｅｘｐ（ｊ＊Φ）を乗じることと同等である）ことができ、さらには、コンステレーションポイントの間の二乗ユークリッド距離に基づく設計を適用することは、ユークリッド距離（すなわち二乗していない）に基づく設計を、必要な変更を加えて適用することと同等である。
【０１４４】
図７Ｂは、フィードバック情報のシグナリングに８−ＰＳＫ変調点を使用するための別の例を示している。図７Ａに示した例と比較して、ＮＡＣＫ−ＡＣＫ誤りの全体的な確率が減少し、なぜならＡＣＫのコンステレーションポイントまでの最小距離が、図７Ａにおけるよりも大きい（すなわち図７Ａでは、ＮＡＣＫ−ＡＣＫ間の最小の二乗距離は２であり、図７Ｂでは、ＮＡＣＫ−ＡＣＫ間の最小の二乗距離が約３.４１である）ためである。しかしながらこの代償として、Ｎｅ＝Ｎ１とＮｅ＝Ｎ３との間の誤りの確率が増大し、なぜなら対応する二乗距離が２から約０.５９に減少するためである。
【０１４５】
図８Ｂは、フィードバック情報のシグナリングに１６−ＱＡＭ変調点を使用する別の例を示しており、この例では、ＮＡＣＫのフィードバックとＮｅ＝Ｎ１のＡＣＫのフィードバックとに、最も高い送信電力を使用するが、サポートされる４つのコンステレーションポイントの平均電力は依然として１に維持される。図８Ａに示した例と比較すると、ＮＡＣＫ−ＡＣＫ誤りの全体的な確率はわずかに高くなり、なぜならＮＡＣＫからＡＣＫのコンステレーションポイントまでの最小距離が、図８Ａにおけるよりも小さいためである（すなわち図８Ａでは、ＮＡＣＫ−ＡＣＫ間の最小の二乗距離は３.２であり、図８Ｂでは、ＮＡＣＫ−ＡＣＫ間の最小の二乗距離は２である）ためである。しかしながら代わりの恩恵として、ＮＡＣＫとＮｅ＝Ｎ１との間の誤りの確率が減少し、なぜなら対応する二乗距離が５.２から７.２に増大するためである。これに加えて、Ｎｅ＝Ｎ１とＮｅ＝Ｎ３との間の誤りの確率も減少し、なぜなら二乗ユークリッド距離が０.４から２に増大するためである。この最後の側面は有利であり、なぜならＮ１＜Ｎ２＜Ｎ３の場合、Ｎｅ＝Ｎ１とＮｅ＝Ｎ３との間の誤りは、Ｎｅ＝Ｎ１とＮｅ＝Ｎ２との間の誤りよりも、通信システムに対する影響が大きいためである。
【０１４６】
なお、特に８−ＰＳＫの例および１６−ＱＡＭの例で、ＮＡＣＫおよびいずれかのＡＣＫに異なる拡散符号を使用することにより、対応する距離がさらに大きくなることにさらに留意されたい。一般的にこの方法は、受信確認応答およびバンドル情報を伝えるべき値の数が、利用可能なコンステレーションポイントから１を減じた数よりも小さい場合に有利となる。なお、上記のコンステレーションは例にすぎず、上述した開示内容は、任意の他の多値変調（例えばＭ＝６４，１２８，２５６などのＭ−ＱＡＭや、１６−ＰＳＫ、６４−ＰＳＫなどのＭ−ＰＳＫ）にも適用することができることに留意されたい。上記の方法は、他の変調方式（例えばＭ−ＰＡＭ変調方式、コセット変調方式（coset modulation）、他の任意の変調方式）にも適用することができる。
【０１４７】
上の例は、受信確認応答およびバンドル長さ情報のジョイント符号化を示している。しかしながら、受信確認応答およびバンドル長さ情報のジョイント符号化は、別の方法で実行することもできる。例えば、ＡＣＫとバンドル長さ情報の組み合わせそれぞれに、対応する拡散系列を割り当てることができ、ＮＡＣＫにはそれ以外の１つの別の拡散系列を割り当てる、または、ＮＡＣＫとバンドル長さ情報の異なる組み合わせに、それぞれの拡散系列を割り当てることができる。
【０１４８】
しかしながら本発明は、ジョイント符号化の上述した実装形態のいずれかに限定されることはなく、バンドル長さの通知は、受信確認応答のフィードバックの一部である必要はない。バンドル長さの通知は、ＭＡＣ制御要素の一部として伝えることができる。このシグナリング方法では、すでに端末側において良好な平均化（averaging）を達成することができる。その一方で、ＭＡＣシグナリングでは余分なアップリンクパケットが必要であり、そのようなパケットは、特にカバレッジ拡張モードにおいては多くなりうる。
【０１４９】
図３Ａを参照しながら説明した例においては、バンドル長さを拡散符号によって決定した。拡散符号の代わりに、Ｚａｄｏｆｆ−Ｃｈｕ符号または類似する相関特性を有する任意の符号の場合には、サブフレーム内で特定のサイクリックシフトを選択することによって、バンドル長さ情報をシグナリングすることができる。
【０１５０】
すでに上述したように、受信確認応答およびバンドル情報の符号化は、直接的な拡散（例えば、受信確認応答に、バイナリ拡散系列とのＸＯＲを適用することによる）に限定されない。それに代えて、一実施形態によると、受信確認応答（ＡＣＫ／ＮＡＣＫ）を伝えるリソースを、拡散系列によって決定する。図３Ｂはこの方法を示している。図３Ｂは図３Ａに似ている。しかしながら図３Ｂでは、拡散系列を使用してＡＣＫ／ＮＡＣＫ信号との乗算を行うのではなく、拡散系列を使用して、ＡＣＫ／ＮＡＣＫのためのリソースの位置を決定する。
【０１５１】
具体的には、図３Ｂでは、確認応答を伝えるために使用できる２つのリソースａ，ｂが存在する。しかしながら、実際にはサブフレームあたりリソースの一方のみが使用される。例えば、Ｎｄ＝４個の繰り返しの後に復号が正常に行われた場合、拡散系列は［ａ  ｂ  ｂ  ａ］である。このことは、（肯定または否定）確認応答が４つのサブフレームにおいて送信されることを意味し、すなわち、最初のサブフレームではリソースａ、２番目のサブフレームではリソースｂ、３番目のサブフレームではリソースｂ、４番目のサブフレームではリソースａにおいて、送信される。リソース「ａ」は、サブフレーム内の特定のリソースブロックとすることができ、リソース「ｂ」は同じサブフレーム内の別の１つのリソースブロックである。サブフレームは、図３Ｂに示したように連続的とすることができる。
【０１５２】
しかしながら本発明はこれに限定されず、一般的には、サブフレームは連続している必要はないことに留意されたい。さらに、リソースａおよびリソースｂというリソースブロックは一例にすぎない。一般的には、リソースは、Ｚａｄｏｆｆ−Ｃｈｕ系列、または（少なくとも特定の）シフト後に自身と直交するという特徴を有する任意の系列、のサイクリックシフト（ａ個およびｂ個のビットだけシフトする）によって表すことができる。これに代えて、リソースを、フレームのスロットとする、またはサブフレームの任意の別のリソース部分とすることができる。
【０１５３】
これに代えて、またはこれに加えて、リソースａおよびリソースｂを、サブフレーム単位で定義することもできる。例えば、確認応答の繰り返しを実際に送信するサブフレームをＭ個とし、ただしこれらＭ個のサブフレームは２＊Ｍ個の連続するサブフレームの中に分布する。例えば、２つの連続するサブフレームの中にリソースａまたはリソースｂが位置し、このパターンが４回繰り返される。したがって拡散系列［ａ  ｂ  ｂ  ａ］は、８つの連続するサブフレームのうちの最初、４番目、６番目、および７番目のサブフレームにおいて送信される。
【０１５４】
なお、リソースの位置は２箇所である必要はないことに留意されたい。それに代えて、複数のリソース位置ａ，ｂ，ｃ，…などの間で選択できるようにすることができる。リソースが多いと、特定のリソースの間の距離を大きくすることができ、このため、衝突の確率、したがってフィードバック情報が誤って復号される確率が減少する。
【０１５５】
図３Ｂでは、ＡＣＫと、Ｎｅ＝Ｎ（送信バンドル長さに等しい数の繰り返しの後に復号が正常に行われる）に対応するバンドル長さ情報のための拡散符号が、ＮＡＣＫをシグナリングするための拡散符号と同じである。この方式は有利であり、なぜならＮ個の繰り返しの後のＡＣＫは、Ｎ以外の数の繰り返し後のＡＣＫよりもＮＡＣＫに近いためである。したがって、誤りが発生した場合、そのマイナスの結果は通信システムにとってさほど大きくはなく、なぜなら前述したように、十分なバンドル長さの値がまったく間違った値として解釈される誤りは、その後のリソース割当てに影響し、すなわちデータ送信装置において決定される送信バンドルサイズが大幅に大きすぎる、または大幅に小さすぎる結果となる。
【０１５６】
上のいくつかの例では、受信確認応答の繰り返し（すなわち時間領域におけるＡＣＫ／ＮＡＣＫの拡散）について、主として複数のサブフレーム（例えばＬＴＥにおけるサブフレーム）にわたる拡散として説明してきた。しかしながら本発明はこれに限定されず、一般的には、ＬＴＥのサブフレームとは粒度の異なる時間領域の複数のリソースにわたる拡散を実行することもできる。例えば、１つのサブフレームの複数のＯＦＤＭシンボルにわたり、またはサブフレームの２つのスロットにわたり、拡散を実行することもできる。なお、これらの解決策を組み合わせる、例えば、複数のサブフレームの選択されたＯＦＤＭシンボルまたはスロットにわたりＡＣＫ／ＮＡＣＫを拡散させることが可能であり、これらは有利である。また、ＯＦＤＭシンボルを、それぞれが所定の数のＯＦＤＭシンボルを有する複数のシンボル部分にグループ化し、これらのシンボル部分にわたり拡散を実行することもできる。
【０１５７】
図４は、無線通信システムにおいてデータを受信するデータ受信装置４００Ｂの例を示している。無線通信システムは、ＬＴＥ、または任意の他の無線セルラーシステムとすることができる。しかしながら無線通信システムは、データが無線インタフェースを通じて送信および受信される任意の他の通信システム（例えばアドホックネットワークやホームネットワーク）とすることもできる。データ受信装置４００Ｂは、送信バンドルの中の、データ部分の最大で所定の数Ｎ個の送信信号であり、所定の数Ｎ個のそれぞれのサブフレームに符号化された、送信信号、を受信する受信ユニット４５０と、そのデータ部分が正常に復号されたか否かを判定し、判定の結果に従って肯定確認応答または否定確認応答を生成し、そのデータ部分の復号が正常に行われるまでの送信信号の数Ｎｅを求める、フィードバック制御ユニット４６０と、受信確認応答を送信し、求めた送信信号の数Ｎｅまたは求めた送信信号の数Ｎｅの関数に対応するバンドル長さ情報、を送信するように構成されている送信ユニット４８０と、を含む。
【０１５８】
受信ユニット４５０は、送信される以降のデータ部分に適用される送信信号の数Ｎに関する設定情報を、データ送信装置から受信するように、さらに構成することができる。データ受信装置４００Ｂは、そのような設定情報を受信した時点で、確認メッセージを送信ユニット４８０によってデータ送信装置４００Ａに送ることによって、設定に対する確認を行うことができる。このような方法は、設定が上位層プロトコル（ＲＲＣなど）を通じて実行される場合に適用することが有利である。次いで、新たに選択されたＮの設定を適用し、すなわち受信ユニット４５０およびフィードバック制御ユニット４６０は、設定に従って構成される。物理層シグナリング（ＤＣＩなど）の場合には、そのような明示的な確認は不要であり、受信ユニット４５０は、Ｎの新しい設定を受信した時点でそれを適用する。
【０１５９】
フィードバック制御ユニット４６０は、フィードバック情報の生成に関するタスクを実行する。例えば、フィードバック制御ユニット４６０は、データ部分が正常に復号されたかを判定し、受信に対して肯定応答または否定応答するフィードバックを生成する。さらにフィードバック制御ユニット４６０は、復号が正常に行われるまでのデータ部分の繰り返しの数を求める。次いでフィードバック制御ユニットは、上述したように、対応する十分なバンドルサイズの情報を生成する。次いで、肯定確認応答または否定確認応答と、十分なバンドルサイズとを、送信ユニット４８０によって送信する。確認応答およびバンドルサイズの送信は、１つのメッセージの中で行うことができる。しかしながら、これらを個別に送信することも可能であり、具体的には、一実装形態においては、確認応答を送信する（および場合によっては求める）頻度を、復号を正常に行うのに十分なバンドルサイズを通知する頻度よりも高くし、さらに異なる送信メカニズムを使用して送信することができる。例えば、確認応答の送信を、物理アップリンク制御チャネルを使用して行うことができ、その一方で、バンドルサイズの通知をＭＡＣ制御要素（最終的に物理アップリンク共有チャネルを使用して送信される）によって行うことができる。
【０１６０】
さらに、データ受信装置４００Ｂは、受信確認応答およびバンドル長さ情報を符号化するフィードバック符号化ユニット４６５、を含むことができる。特に、受信確認応答およびバンドル長さ情報を一緒に符号化することができる。しかしながらこれに代えて、フィードバック符号化ユニット４６５は、上述したように特にバンドル長さ情報および確認応答の両方が個別に送信される場合、バンドル長さ情報と確認応答を、個別に符号化する、または異なる方式で符号化する、または個別にかつ異なる方式で符号化することができる。
【０１６１】
さらに、データ受信装置４００Ｂはフィードバックマッピングユニット４７０を含むことができ、フィードバックマッピングユニット４７０は、フィードバック情報を、データ部分の所定の数Ｎ個の送信信号の最後のサブフレームよりも少なくとも所定の数ｋ個のサブフレームだけ後ろに位置する複数のＭ個のサブフレームに拡散させることによって、無線システムリソースにマッピングする。ただし本発明は、フィードバック情報の送信に繰り返しを適用することに限定されないことに留意されたい。しかしながら、時間領域における冗長性の利点として、データ送信装置側でフィードバックが正しく検出および復号される確率が高まる。フィードバックマッピングユニット４７０は、所定の数ｄ個の拡散規則のうちの１つの拡散規則に従って、フィードバック情報をＭ個のサブフレームにわたり拡散させるように構成されていることが有利であり、拡散規則はバンドル長さに従って決まる。拡散規則は、ｄ個の一連の拡散符号のうちの１つの拡散符号とすることができる。ｄ個の拡散符号は、互いに直交することが有利である。しかしながら本発明は、フィードバックに対するこのような拡散を採用することに限定されない。拡散は、それぞれの拡散系列に対応するコードワードを使用してフィードバック情報を符号化することと理解することができる。拡散規則の数ｄは、送信信号の数Ｎよりも小さいことが有利である。したがって、十分なバンドル長さの値すべてをシグナリングすることはできない。したがってバンドル長さ情報の粒度は粗い。しかしながら、繰り返しによる冗長性が減少する。
【０１６２】
拡散系列は、ウォルシュ−アダマール符号、ＤＦＴに基づく複素拡散符号、Ｚａｄｏｆｆ−Ｃｈｕ符号、または擬似ランダム系列のさまざまなサイクリックシフト、のうちの１つに属することができる。
【０１６３】
バンドル長さ情報は、十分なバンドル長さを、復号が正常に行われるまでの送信信号の数の形でそのまま、またはその関数の形で、必ずしも伝える必要はない。一実装形態によると、データ部分の復号が正常に行われるまでの、求めた送信信号の数ＮｅとＮとの差（データ部分を正常に復号するうえで必要ではなかったバンドルの送信信号の数を意味する）を伝えることができる。
【０１６４】
さらに図４には、無線通信システムにおいてデータを送信するデータ送信装置４００Ａを示してあり、この装置は、データ部分の所定の数Ｎ個の送信信号であり、所定の数Ｎ個のそれぞれのサブフレームに符号化された、送信信号、を送信する送信ユニット４１０と、データ受信装置から受信確認応答を受信し、かつバンドル長さ情報を受信するフィードバック受信ユニット４２０であって、バンドル長さ情報が、受信装置においてデータ部分の復号が正常に行われるまでの送信信号の数または送信信号の数の関数に対応する、フィードバック受信ユニット４２０と、受信されたバンドル長さ情報に従って所定の数Ｎを設定する送信制御ユニット４４０と、を備えている。
【０１６５】
さらに、データ送信装置４００Ａは、受信されたフィードバックを復号するフィードバック復号ユニット４３０、を含む。上述したようにフィードバック情報は、例えばバンドル長さの値に従って確認応答に拡散符号を適用することによって、符号化することができる。繰り返し制御ユニット４４０は、繰り返しの数Ｎを変更する必要があるか否かを、受信されたフィードバックに従って、具体的にはバンドル長さ情報に従って判定し、すなわち繰り返しの数をフィードバックに従って減少または増大させることができる。繰り返し制御ユニット４４０は、Ｎの新しい値が必要であるかを判断し、必要である場合、新しい値を適用するように送信ユニット４１０に命令する。さらに、送信ユニット４１０を次のように構成する、すなわち、新たに設定された値をデータ受信装置に送信し、場合によってはデータ受信装置から確認を受信した後に、その新しい値を適用するように、構成することができる。
【０１６６】
なお、送信バンドル長さを設定できることとは別に、データ送信装置がバンドル長さ情報の報告のタイプを設定してデータ受信装置にシグナリングすることができることに留意されたい。例えば、フィードバックの送信に適用される繰り返しの数Ｍをシグナリングすることができる。さらには、バンドル長さ情報Ｎｅのシグナリングの値ｑや解像度ｒを設定して伝えることができる。これに代えて、設定には、データ受信装置において復号を試みるまでの繰り返しの特定の数を含めることができる。これに代えて、またはこれに加えて、拡散符号のタイプ、長さ、数のうちの１つまたは複数をシグナリングすることができる。一般的には、これらは、バンドル長さ情報の報告のあらかじめ決められた設定を含む事前定義されるプロファイルとすることができ、データ送信装置は、プロファイルを選択してデータ受信装置にシグナリングすることができる。
【０１６７】
繰り返し制御ユニット４４０は、Ｎの値を変更するか否かの決定を、所定の頻度で定期的に、またはイベント駆動方式のいずれかで実行することができる。具体的には、繰り返し制御ユニット４４０は、最近に受信されたバンドル長さＮｅの関数と、現在適用されているバンドル長さとの比較に基づいて、Ｎを変更する必要があるかを決定することができる。関数と現在のＮとの差が所定のしきい値を超える場合、Ｎを変更する必要があるとみなすことができる。
【０１６８】
本発明の別の実施形態によると、無線インタフェースを通じて互いに通信する上述したデータ送信装置４００Ａおよびデータ受信装置４００Ｂを含むシステム、を提供する。
【０１６９】
なお、データ送信装置は基地局とすることができ、データ受信装置はユーザ機器とすることができ、この場合、上に挙げたユニットは、専用のチップまたはデジタル信号プロセッサによって、または対応して構成／プログラムされたハードウェアの組み合わせによって、具体化される。例えば、受信ユニットおよび送信ユニットは、アンテナと、それぞれのＡ／ＤコンバータおよびＤ／Ａコンバータと、復調器と、ベースバンドデジタル信号処理ハードウェア（デジタル信号プロセッサ、汎用プロセッサ、ＦＰＧＡ、ＡＳＩＣなど）を含むことができ、この場合に受信ユニットおよび送信ユニットは、ビットレベルで受信／送信を実行する。フィードバック制御ユニットは、ベースバンドデジタル信号処理および符号化／復号と同じハードウェアに、または異なるハードウェアに具体化することができる。
【０１７０】
図５は、上述した無線通信システムにおいてデータを送信する方法およびデータを受信する方法を示している流れ図である。
【０１７１】
具体的には、無線通信システムにおいてデータを受信する方法であって、送信バンドルの中の、データ部分の最大で所定の数Ｎ個の送信信号であり、所定の数Ｎ個のそれぞれのサブフレームに符号化された、送信信号、を受信する（５２０）ステップと、そのデータ部分が正常に復号されたか否かを判定し（５３０）、判定の結果に従って肯定確認応答または否定確認応答を生成し、そのデータ部分の復号が正常に行われるまでの送信信号の数Ｎｅを求める（５３０，５４０）、ステップと、受信確認応答を送信し（５５０）、求めた送信信号の数Ｎｅ、または求めた送信信号の数Ｎｅの関数、に対応するバンドル長さ情報、を送信する（５５０）、ステップと、を含む、方法、を提供する。なお、受信する（５２０）ステップは、Ｎ個の繰り返しすべてを受信するステップ、を含むことができることに留意されたい。しかしながら、電力を節約する目的で、データ部分の復号が正常に行われるまでのみ、受信を実行することができる。復号が正常に行われた時点で、さらなる繰り返しは必要ない。復号が正常に行われず、Ｎ個の繰り返しすべてが受信および処理されない場合、ステップ５２０の次の実行では、ステップ５２０の前の実行とは異なるｒの値を想定することができる。
【０１７２】
さらには、無線通信システムにおいてデータを送信する方法であって、バンドルの中の、データ部分の所定の数Ｎ個の送信信号であり、所定の数Ｎ個のそれぞれのサブフレームに符号化された、送信信号、を送信する（５１０）ステップと、データ受信装置から受信確認応答を受信し、かつバンドル長さ情報を受信する（５６０）ステップであって、バンドル長さ情報が、受信装置においてデータ部分の復号が正常に行われるまでの送信信号の数または送信信号の数の関数に対応する、ステップと、受信されたバンドル長さ情報に従って所定の数Ｎを設定する（５７０）ステップと、を含む、方法、を提供する。さらに、設定するステップの後に、新たに設定されたＮをデータ受信装置に送信することができる。データ受信装置において、Ｎを受信して設定する（５８０）ステップ、をさらに実行することができる。
【０１７３】
上述した方法のステップは、プロセッサによって、または相互に接続された複数のハードウェア（プロセッサ、ＡＳＩＣ、ＦＰＧＡなど）を含む処理ユニットによって、実行することもできる。
【０１７４】
背景技術のセクションにおける説明は、本明細書に記載した特定の例示的な実施形態を深く理解することを目的としており、移動通信ネットワーク（３ＧＰＰ標準規格に準拠したネットワークなど）におけるプロセスおよび機能の、説明した特定の実施形態に本発明を制限するものではないことを理解されたい。しかしながら、本明細書に提案した改良は、背景技術のセクションに記載したアーキテクチャ／システムにおいてただちに適用することができ、本発明のいくつかの実施形態においては、これらのアーキテクチャ／システムの標準的な手順および改良された手順を利用することができる。特定の実施形態において示した本発明には、広義に記載されている本発明の概念または範囲から逸脱することなく、さまざまな変更もしくは修正またはその両方を行うことができることが、当業者には理解されるであろう。
【０１７５】
本発明の別の実施形態は、上述したさまざまな実施形態を、ハードウェアおよびソフトウェアを使用して実施することに関する。本発明のさまざまな実施形態は、コンピューティングデバイス（プロセッサ）を使用して実施または実行できることを理解されたい。コンピューティングデバイスまたはプロセッサは、例えば、汎用プロセッサ、デジタル信号プロセッサ（ＤＳＰ）、特定用途向け集積回路（ＡＳＩＣ）、フィールドプログラマブルゲートアレイ（ＦＰＧＡ）、またはその他のプログラマブルロジックデバイスなどとすることができる。本発明のさまざまな実施形態は、これらのデバイスの組合せによって実行または具体化することもできる。
【０１７６】
さらに、本発明のさまざまな実施形態は、プロセッサによって実行されるソフトウェアモジュールによって実施する、あるいはハードウェアに直接実装することができる。また、ソフトウェアモジュールとハードウェア実装の組合せも可能である。ソフトウェアモジュールは、任意の種類のコンピュータ可読記憶媒体（例えばＲＡＭ、ＥＰＲＯＭ、ＥＥＰＲＯＭ、フラッシュメモリ、レジスタ、ハードディスク、ＣＤ−ＲＯＭ、ＤＶＤなど）に格納することができる。
【０１７７】
要約すると、本発明は、無線通信システムにおけるデータの送信および受信に関する。具体的には、同じデータ部分の所定の数の繰り返しを、無線インタフェースを通じて送信する。受信装置は、これらの繰り返しを受信し、その復号を試み、復号が正常に行われたかをチェックする。所定の数またはそれより少ない数の繰り返しの後に復号が正常に行われた場合、肯定確認応答を生成する。これに加えて、バンドルサイズ情報を含むフィードバックを生成して送信する。バンドルサイズ情報は、復号が正常に行われるまでの繰り返しの数（所定の数より小さいかまたは等しい）を含む。このフィードバックをデータ送信装置に送信し、データ送信装置は、繰り返しの所定の数をフィードバックに従って調整することができる。本発明では、適用される繰り返しの数の効率的な制御が可能であり、これは、カバレッジを拡張する目的において特に有利である。
【図１】
0006515176.tif 000025
【図２】
0006515176.tif 000026
【図３Ａ】
0006515176.tif 000027
【図３Ｂ】
0006515176.tif 000028
【図４】
0006515176.tif 000029
【図５】
0006515176.tif 000030
【図６】
0006515176.tif 000031
【図７】
0006515176.tif 000032
【図８】
0006515176.tif 000033